(57)【要約】【課題】  複数ベンダに対する互換性を維持しつつ、規定後にプロトコルを修正し易くすること。【解決手段】  画像データを格納する画像供給装置２と、画像データに基づき画像を出力する画像出力装置１との間で、通信路３を介して制御情報を送受して、画像供給装置２に格納された画像データに基づく画像を画像出力装置１により出力する。その際、画像供給装置２と画像出力装置１との間で、画像出力に係る制御情報をマークアップ言語で記述した一連のスクリプトとして通信路３を介して送受する。【選択図】  図１
2004303192.tif 000002
【特許請求の範囲】
【請求項１】
画像データを格納する画像供給装置と、上記画像データに基づき画像を出力する画像出力
装置と、上記画像供給装置と上記画像出力装置とを直接接続する通信路とを備える画像出
力システムであって、
上記画像出力装置は、画像出力に係る制御情報をマークアップ言語で記述した一連のス
クリプトとして上記通信路を介して送受する第１の通信手段を備え、
上記画像供給装置は、画像出力に係る制御情報をマークアップ言語で記述した一連のス
クリプトとして上記通信路を介して送受する第２の通信手段を備えること、
を特徴とする画像出力システム。
【請求項２】
前記マークアップ言語は、文書型を追加定義可能であることを特徴とする請求項１記載の
画像出力システム。
【請求項３】
前記マークアップ言語は、ＳＧＭＬ、ＸＭＬ、並びに、ＳＧＭＬまたはＸＭＬに対して上
位互換または下位互換のある言語のいずれかであることを特徴とする請求項２記載の画像
出力システム。
【請求項４】
前記第１の通信手段および前記第２の通信手段は、画像出力に係る制御情報として、画像
出力処理における制御コマンド、その制御コマンドに対する応答、および装置の状態の通
知をマークアップ言語で記述した一連のスクリプトとして送受することを特徴とする請求
項１から請求項３のうちのいずれか１項記載の画像出力システム。
【請求項５】
前記第１の通信手段および前記第２の通信手段は、前記マークアップ言語で記述した一連
のスクリプトとして、画像出力の対象となる画像データを含まず、画像出力に係る制御情
報のみを含むスクリプトを送受することを特徴とする請求項１から請求項４のうちのいず
れか１項記載の画像出力システム。
【請求項６】
前記画像出力装置は、画像を出力する出力機構と、前記画像データから上記出力機構を制
御するための制御データを生成し、その制御データに基づいて上記出力機構を制御する出
力制御部とを備えることを特徴とする請求項１から請求項５のうちのいずれか１項記載の
画像出力システム。
【請求項７】
前記画像出力装置は、前記マークアップ言語の構文解析を行うパーサを備え、
そのパーサは、前記マークアップ言語のタグのうち、前記画像出力に係る制御情報の記
述に必要なタグのみを判別すること、
を特徴とする請求項１から請求項６のうちのいずれか１項記載の画像出力システム。
【請求項８】
前記画像供給装置は、前記マークアップ言語の構文解析を行うパーサを備え、
そのパーサは、前記マークアップ言語のタグのうち、前記画像出力に係る制御情報の記
述に必要なタグのみを判別すること、
を特徴とする請求項１から請求項７のうちのいずれか１項記載の画像出力システム。
【請求項９】
前記画像出力装置は、前記スクリプトのテンプレートを前記制御情報の種類ごとに格納し
、そのテンプレートから前記制御情報のスクリプトを生成するスクリプト生成手段を備え
ることを特徴とする請求項１から請求項８のうちのいずれか１項記載の画像出力システム
。
【請求項１０】
前記画像供給装置は、前記スクリプトのテンプレートを前記制御情報の種類ごとに格納し
、そのテンプレートから前記制御情報のスクリプトを生成するスクリプト生成手段を備え
ることを特徴とする請求項１から請求項９のうちのいずれか１項記載の画像出力システム
。
【請求項１１】
前記画像供給装置は、画像データおよび画像出力ジョブを指定するジョブ指定ファイルを
格納し、
前記画像出力装置は、上記ジョブ指定ファイルを取得し、そのジョブ指定ファイルの情
報に基づいて、マークアップ言語で記述した画像出力に係る制御情報を生成すること、
を特徴とする請求項１から請求項１０のうちのいずれか１項記載の画像出力システム。
【請求項１２】
前記画像供給装置は、画像出力対象の１または複数の画像データおよび前記ジョブ指定フ
ァイルのいずれか一方を画像出力ジョブ開始コマンドにおいて指定し、
前記画像出力装置は、上記画像出力ジョブ開始コマンドにおいて画像データが直接指定
された場合には、その画像出力ジョブ開始コマンドに従って前記画像供給装置からその画
像データを取得し、上記画像出力ジョブ開始コマンドにおいて前記ジョブ指定ファイルが
指定された場合には、その画像出力ジョブ開始コマンドに従って前記画像供給装置からそ
のジョブ指定ファイルを取得し、そのジョブ指定ファイルにおいて指定された画像データ
を前記画像供給装置から取得すること、
を特徴とする請求項１１記載の画像出力システム。
【請求項１３】
前記画像供給装置は、画像データおよび画像出力ジョブを指定するジョブ指定ファイルを
格納し、上記ジョブ指定ファイルに基づいて、画像出力ジョブ開始コマンドを前記画像出
力に係る制御情報として生成し、前記画像出力装置に送信することを特徴とする請求項１
から請求項１０のうちのいずれか１項記載の画像出力システム。
【請求項１４】
前記ジョブ指定ファイルは、１または複数の画像出力ジョブを指定し、各ジョブに対して
指定される画像出力条件情報を有することを特徴とする請求項１１から請求項１３のうち
のいずれか１項記載の画像出力システム。
【請求項１５】
前記画像供給装置は、画像データおよび画像出力ジョブを指定するジョブ指定ファイルを
ＤＰＯＦ方式で格納することを特徴とする請求項１１から請求項１４のうちのいずれか１
項記載の画像出力システム。
【請求項１６】
前記画像出力装置は、画像出力の処理フローを制御する画像出力制御手段を備えることを
特徴とする請求項１から請求項１５のうちのいずれか１項記載の画像出力システム。
【請求項１７】
前記画像供給装置は、操作部を備え、
前記画像供給装置の前記第２の通信手段は、上記操作部に対して所定の操作があると、
画像出力ジョブ開始コマンドを前記制御情報として前記画像出力装置に送信し、
前記画像出力装置の前記画像出力制御手段は、前記第１の通信手段により上記画像出力
ジョブ開始コマンドが受信されると、その画像出力ジョブ開始コマンドに従って前記画像
出力の処理を開始すること、
を特徴とする請求項１６記載の画像出力システム。
【請求項１８】
前記画像出力装置の前記第１の通信手段は、画像出力の処理において、その画像データの
転送要求を前記画像供給装置に送信し、
前記画像供給装置の前記第２の通信手段は、その画像データの転送要求を受信すると、
その画像データを前記画像出力装置に送信すること、
を特徴とする請求項１６または請求項１７記載の画像出力システム。
【請求項１９】
前記画像供給装置は、画像出力の処理フローを制御する画像出力制御手段を備えることを
特徴とする請求項１から請求項１５のうちのいずれか１項記載の画像出力システム。
【請求項２０】
前記画像出力装置は、操作部を備え、
前記画像出力装置の前記第１の通信手段は、上記操作部に対して所定の操作があると、
画像出力ジョブ開始コマンドを前記制御情報として前記画像供給装置に送信し、
前記画像供給装置の前記画像出力制御手段は、前記第２の通信手段により上記画像出力
ジョブ開始コマンドが受信されると、その画像出力ジョブ開始コマンドに従って前記画像
出力の処理を開始すること、
を特徴とする請求項１９記載の画像出力システム。
【請求項２１】
前記画像出力装置は、ページレイアウト内の所定位置に割り当てられた印刷対象を示す再
開情報を前記画像供給装置に送信し、障害により印刷処理が中止された後に、印刷処理を
新たに開始させる印刷ジョブ開始コマンドとともに、再開時の最初の印刷対象を指定する
前記制御情報を、前記画像供給装置から受信し、その印刷対象から印刷処理を再開し、
前記画像供給装置は、その再開情報を受信して記憶しておき、印刷処理を再開する場合
に、印刷処理を新たに開始させる印刷ジョブ開始コマンドとともに、最新の上記再開情報
に基づいて再開時の最初の印刷対象を指定する前記制御情報を、前記画像出力装置へ送信
すること、
を特徴とする請求項１から請求項２０のうちのいずれか１項記載の画像出力システム。
【請求項２２】
前記画像出力装置は、前記障害を検出した場合にのみ、前記再開情報を前記画像供給装置
に送信することを特徴とする請求項２１記載の画像出力システム。
【請求項２３】
前記画像出力装置は、ページごとに、前記再開情報を前記画像供給装置に送信することを
特徴とする請求項２１記載の画像出力システム。
【請求項２４】
前記再開情報は、ページレイアウト内の所定位置に割り当てられた印刷対象の属する印刷
ジョブのジョブＩＤ、前記画像供給装置内のその印刷対象の格納場所を示す情報、および
その印刷対象の繰り返し供給回数のうちの少なくとも１つを含むことを特徴とする請求項
２１から請求項２３のうちのいずれか１項記載の画像出力システム。
【請求項２５】
前記画像供給装置は、前記再開情報に、印刷対象の繰り返し供給回数を少なくとも使用し
、印刷対象の繰り返し供給の途中で改ページが発生した場合には、繰り返し供給回数を残
りの繰り返し供給回数に変更することを特徴とする請求項２４記載の画像出力システム。
【請求項２６】
前記画像出力装置は、障害を検知すると、その旨を前記制御情報として前記画像供給装置
に送信し、その後、印刷処理を中止し、
前記画像供給装置は、所定の指令を受け付けると、印刷処理の再開のために前記制御情
報を送信すること、
を特徴とする請求項２１から請求項２５のうちのいずれか１項記載の画像出力システム
。
【請求項２７】
前記画像出力装置は、プリンタであり、前記画像供給装置は、デジタルカメラであること
を特徴とする請求項１から請求項２６のうちのいずれか１項記載の画像出力システム。
【請求項２８】
画像データを格納する画像供給装置に通信路を介して接続される通信回路と、
上記画像データに基づき画像を出力する出力手段と、
上記通信回路を制御して、画像出力に係る制御情報をマークアップ言語で記述した一連
のスクリプトとして上記通信路を介して送受する通信制御部と、
を備えることを特徴とする画像出力装置。
【請求項２９】
前記マークアップ言語の構文解析を行うパーサを備え、
そのパーサは、前記マークアップ言語のタグのうち、前記画像出力に係る制御情報の記
述に必要なタグのみを判別すること、
を特徴とする請求項２８記載の画像出力装置。
【請求項３０】
前記スクリプトのテンプレートを前記制御情報の種類ごとに格納し、そのテンプレートか
ら前記制御情報のスクリプトを生成することを特徴とする請求項２８または請求項２９記
載の画像出力装置。
【請求項３１】
画像データを格納する記録媒体と、
上記画像データに基づき画像を出力する画像出力装置に通信路を介して接続される通信
回路と、
上記通信回路を制御して、画像出力に係る制御情報をマークアップ言語で記述した一連
のスクリプトとして上記通信路を介して送受する通信制御部と、
を備えることを特徴とする画像供給装置。
【請求項３２】
前記マークアップ言語の構文解析を行うパーサを備え、
そのパーサは、前記マークアップ言語のタグのうち、前記画像出力に係る制御情報の記
述に必要なタグのみを判別すること、
を特徴とする請求項３１記載の画像供給装置。
【請求項３３】
前記スクリプトのテンプレートを前記制御情報の種類ごとに格納し、そのテンプレートか
ら前記制御情報のスクリプトを生成することを特徴とする請求項３１または請求項３２記
載の画像供給装置。
【請求項３４】
記録媒体に記録され、あるいは、伝送媒体により伝送され、画像出力装置を制御するため
の制御プログラムであって、
コンピュータを、画像データを格納する画像供給装置に通信路を介して接続される通信
回路を制御して、画像出力に係る制御情報をマークアップ言語で記述した一連のスクリプ
トとして上記通信路を介して送受する通信制御部として機能させること、
を特徴とする制御プログラム。
【請求項３５】
記録媒体に記録され、あるいは、伝送媒体により伝送され、画像供給装置を制御するため
の制御プログラムであって、
コンピュータを、画像データに基づき画像を出力する画像出力装置に通信路を介して接
続される通信回路を制御して、画像出力に係る制御情報をマークアップ言語で記述した一
連のスクリプトとして上記通信路を介して送受する通信制御部として機能させること、
を特徴とする制御プログラム。
【請求項３６】
画像データを格納する画像供給装置と、上記画像データに基づき画像を出力する画像出力
装置との間で、通信路を介して制御情報を直接送受して、上記画像供給装置に格納された
画像データに基づく画像を上記画像出力装置により出力する画像出力方法であって、
上記画像供給装置と上記画像出力装置との間で、画像出力に係る制御情報をマークアッ
プ言語で記述した一連のスクリプトとして上記通信路を介して送受すること、
を特徴とする画像出力方法。
【請求項３７】
前記マークアップ言語で記述した一連のスクリプトとして、画像出力の対象となる画像デ
ータを含まず、画像出力に係る制御情報のみを含むスクリプトを送受することを特徴とす
る請求項３６記載の画像出力方法。
【請求項３８】
前記画像出力装置が、ページレイアウト内の所定位置に割り当てられた印刷対象を示す再
開情報を前記画像供給装置に送信し、
前記画像供給装置が、その再開情報を受信して記憶し、
前記画像供給装置が、前記画像出力装置の印刷処理を再開する場合に、印刷処理を新た
に開始させる印刷ジョブ開始コマンドとともに、最新の上記再開情報に基づいて再開時の
最初の印刷対象を指定する前記制御情報を、前記画像出力装置へ送信し、
前記画像出力装置が、障害により印刷処理が中止された後に、印刷処理を新たに開始さ
せる印刷ジョブ開始コマンドとともに、再開時の最初の印刷対象を指定する前記制御情報
を、前記画像供給装置から受信し、その印刷対象から印刷処理を再開すること、
を特徴とする請求項３６または請求項３７記載の画像出力方法。
【発明の詳細な説明】
【技術分野】
【０００１】
本発明は、通信路を介して制御情報および画像データを伝送して、画像供給装置に格納
された画像データに基づく画像を画像出力装置により出力する画像出力システムおよび画
像出力方法、並びにそれらで使用される画像供給装置および画像出力装置に関するもので
ある。
【背景技術】
【０００２】
デジタルスチルカメラとプリンタとを、パーソナルコンピュータなどを介さずに接続し
、デジタルスチルカメラにより撮影した画像をプリンタにより印刷するいわゆるダイレク
トプリントシステムがある（例えば特許文献１参照）。
【０００３】
ダイレクトプリントシステムでは、デジタルスチルカメラとプリンタとの間でベンダ固
有のプロトコルを使用して、画像データや印刷ジョブ開始コマンドなどの送受が行われて
いる。
【０００４】
【特許文献１】特開２００２−３３０３９４号公報（従来の技術欄）
【発明の開示】
【発明が解決しようとする課題】
【０００５】
しかしながら、各ベンダが独自のプロトコルを使用しているため、デジタルスチルカメ
ラによる画像をあるベンダのプリンタにより印刷できても、他のベンダのプリンタにより
印刷できないことがある。その場合、複数のベンダで同一のプロトコルを使用すれば、デ
ジタルスチルカメラによる画像をそれらのうちのいずれのベンダのプリンタでも印刷可能
となるが、プリンタには各ベンダ固有の機能があり、完全に同一のプロトコルを使用する
ことが難しい。また、プリンタの機能は年々進化しており、一旦、画一的なプロトコルを
規定してしまうと、新たな機能を追加することが困難になってしまう。
【０００６】
本発明は、上記の問題に鑑みてなされたものであり、複数ベンダに対する互換性を維持
しつつ、規定後にプロトコルを修正し易い画像出力システム、画像供給装置、画像出力装
置、制御プログラムおよび画像出力方法を得ることを目的とする。
【課題を解決するための手段】
【０００７】
上記の課題を解決するために、本発明の画像出力システムは、画像データを格納する画
像供給装置と、その画像データに基づき画像を出力する画像出力装置と、画像供給装置と
画像出力装置とを直接接続する通信路とを備える画像出力システムであって、画像出力装
置が、画像出力に係る制御情報をマークアップ言語で記述した一連のスクリプトとして通
信路を介して送受する第１の通信手段を備え、画像供給装置が、画像出力に係る制御情報
をマークアップ言語で記述した一連のスクリプトとして通信路を介して送受する第２の通
信手段を備えるものである。
【０００８】
この画像出力システムを利用すると、マークアップ言語の構文の拡張性を利用して複数
ベンダに対する互換性を維持しつつ、規定後にプロトコルを修正し易くすることができる
。
【０００９】
さらに、本発明の画像出力システムは、上記発明の画像出力システムに加え、マークア
ップ言語として、文書型を追加定義可能であるものを使用する。
【００１０】
この画像出力システムを利用すると、規定後にプロトコルをより修正し易くすることが
できる。
【００１１】
さらに、本発明の画像出力システムは、上記発明の画像出力システムのいずれかに加え
、マークアップ言語として、ＳＧＭＬ、ＸＭＬ、並びに、ＳＧＭＬまたはＸＭＬに対して
上位互換または下位互換のある言語のいずれかを使用する。
【００１２】
この画像出力システムを利用すると、規定後にプロトコルをより修正し易くすることが
できる。
【００１３】
さらに、本発明の画像出力システムは、上記発明の画像出力システムのいずれかに加え
、第１の通信手段および第２の通信手段が、画像出力に係る制御情報として、画像出力処
理における制御コマンド、その制御コマンドに対する応答、および装置の状態の通知をマ
ークアップ言語で記述した一連のスクリプトとして送受するようにしたものである。
【００１４】
この画像出力システムを利用すると、マークアップ言語の構文の拡張性を利用して、制
御コマンド、その応答、装置の状態通知などについて複数ベンダに対する互換性を維持し
つつ、規定後にプロトコルを修正し易くすることができる。
【００１５】
さらに、本発明の画像出力システムは、上記発明の画像出力システムのいずれかに加え
、第１の通信手段および第２の通信手段が、マークアップ言語で記述した一連のスクリプ
トとして、画像出力の対象となる画像データを含まず、画像出力に係る制御情報のみを含
むスクリプトを送受するようにしたものである。
【００１６】
この画像出力システムを利用すると、画像出力の対象となるデータの形式を既存のもの
から変更することなく、画像出力の対象となるデータから独立してマークアップ言語によ
る制御情報を送受することができる。
【００１７】
さらに、本発明の画像出力システムは、上記発明の画像出力システムのいずれかに加え
、画像出力装置に、画像を出力する出力機構と、画像データから出力機構を制御するため
の制御データを生成しその制御データに基づいて出力機構を制御する出力制御部とを備え
る。
【００１８】
この画像出力システムを利用すると、画像供給装置には、画像データから出力機構を制
御する制御データを生成する機能がなくてもよく、画像供給装置を安価にすることができ
る。
【００１９】
さらに、本発明の画像出力システムは、上記発明の画像出力システムのいずれかに加え
、画像出力装置に、マークアップ言語の構文解析を行うパーサを備える。そのパーサは、
マークアップ言語のタグのうち、画像出力に係る制御情報の記述に必要なタグのみを判別
する。
【００２０】
この画像出力システムを利用すると、パーサを小規模な回路やプログラムで実現でき、
画像出力装置を安価にすることができる。
【００２１】
さらに、本発明の画像出力システムは、上記発明の画像出力システムのいずれかに加え
、画像供給装置は、マークアップ言語の構文解析を行うパーサを備える。そのパーサは、
マークアップ言語のタグのうち、画像出力に係る制御情報の記述に必要なタグのみを判別
する。
【００２２】
この画像出力システムを利用すると、パーサを小規模な回路やプログラムで実現でき、
画像供給装置を安価にすることができる。
【００２３】
さらに、本発明の画像出力システムは、上記発明の画像出力システムのいずれかに加え
、画像出力装置に、スクリプトのテンプレートを制御情報の種類ごとに格納し、そのテン
プレートから制御情報のスクリプトを生成するスクリプト生成手段を備える。
【００２４】
この画像出力システムを利用すると、短時間で制御情報のスクリプトを生成することが
できる。
【００２５】
さらに、本発明の画像出力システムは、上記発明の画像出力システムのいずれかに加え
、画像供給装置に、スクリプトのテンプレートを制御情報の種類ごとに格納し、テンプレ
ートから制御情報のスクリプトを生成するスクリプト生成手段を備える。
【００２６】
この画像出力システムを利用すると、短時間で制御情報のスクリプトを生成することが
できる。
【００２７】
さらに、本発明の画像出力システムは、上記発明の画像出力システムのいずれかに加え
、画像供給装置および画像出力装置が下記のとおり機能するものである。画像供給装置は
、画像データおよび画像出力ジョブを指定するジョブ指定ファイルを格納する。画像出力
装置は、そのジョブ指定ファイルを取得し、そのジョブ指定ファイルの情報に基づいて、
マークアップ言語で記述した画像出力に係る制御情報を生成する。
【００２８】
この画像出力システムを利用すると、ＤＰＯＦ方式などの既存のジョブ指定ファイルを
使用でき、複雑な画像出力ジョブを簡単に実行することができる。
【００２９】
さらに、本発明の画像出力システムは、上記発明の画像出力システムのいずれかに加え
、画像供給装置および画像出力装置が下記のとおり機能するものである。画像供給装置は
、画像出力対象の１または複数の画像データおよびジョブ指定ファイルのいずれか一方を
画像出力ジョブ開始コマンドにおいて指定する。画像出力装置は、画像出力ジョブ開始コ
マンドにおいて画像データが直接指定された場合には、その画像出力ジョブ開始コマンド
に従って画像供給装置からその画像データを取得し、画像出力ジョブ開始コマンドにおい
てジョブ指定ファイルが指定された場合には、その画像出力ジョブ開始コマンドに従って
画像供給装置からそのジョブ指定ファイルを取得し、そのジョブ指定ファイルにおいて指
定された画像データを画像供給装置から取得する。
【００３０】
この画像出力システムを利用すると、画像データごとに、あるいはジョブ指定ファイル
で纏めて、画像出力の対象となる画像データを指定することができ、様々なパターンの画
像出力ジョブを行うことができる。
【００３１】
さらに、本発明の画像出力システムは、上記発明の画像出力システムのいずれかに加え
、画像供給装置が、画像データおよび画像出力ジョブを指定するジョブ指定ファイルを格
納し、ジョブ指定ファイルに基づいて、画像出力ジョブ開始コマンドを画像出力に係る制
御情報として生成し、画像出力装置に送信するようにしたものである。
【００３２】
この画像出力システムを利用すると、ＤＰＯＦ方式などの既存のジョブ指定ファイルを
使用でき、複雑な画像出力ジョブを簡単に実行することができる。
【００３３】
さらに、本発明の画像出力システムは、上記発明の画像出力システムのいずれかに加え
、ジョブ指定ファイルに、１または複数の画像出力ジョブを指定し、各ジョブに対して指
定される画像出力条件情報を有する。
【００３４】
この画像出力システムを利用すると、ＤＰＯＦ方式などの既存のジョブ指定ファイルを
使用でき、複雑な画像出力ジョブを簡単に実行することができる。
【００３５】
さらに、本発明の画像出力システムは、上記発明の画像出力システムのいずれかに加え
、画像供給装置に、画像データおよび画像出力ジョブを指定するジョブ指定ファイルをＤ
ＰＯＦ方式で格納するようにしたものである。
【００３６】
この画像出力システムを利用すると、既存のジョブ指定ファイルを使用でき、複雑な画
像出力ジョブを簡単に実行することができる。
【００３７】
さらに、本発明の画像出力システムは、上記発明の画像出力システムのいずれかに加え
、画像出力装置に、画像出力の処理フローを制御する画像出力制御手段を備える。
【００３８】
この画像出力システムを利用すると、画像供給装置の情報処理量がほとんど増加せず、
画像供給装置の情報処理性能が低くても本システムを実現することができる。
【００３９】
さらに、本発明の画像出力システムは、上記発明の画像出力システムのいずれかに加え
、画像供給装置に操作部を備え、画像供給装置および画像出力装置が下記のとおり機能す
るものである。画像供給装置の第２の通信手段が、その操作部に対して所定の操作がある
と、画像出力ジョブ開始コマンドを制御情報として画像出力装置に送信する。画像出力装
置の画像出力制御手段が、第１の通信手段により画像出力ジョブ開始コマンドが受信され
ると、その画像出力ジョブ開始コマンドに従って画像出力の処理を開始する。
【００４０】
この画像出力システムを利用すると、ユーザが画像供給装置の操作部を操作することで
画像出力を行わせることができるため、画像供給装置の操作部により操作性が向上する。
【００４１】
さらに、本発明の画像出力システムは、上記発明の画像出力システムのいずれかに加え
、画像供給装置および画像出力装置が下記のとおり機能するものである。画像出力装置の
第１の通信手段が、画像出力の処理において、その画像データの転送要求を画像供給装置
に送信する。画像供給装置の第２の通信手段が、その画像データの転送要求を受信すると
、その画像データを画像出力装置に送信する。
【００４２】
この画像出力システムを利用すると、画像供給装置は画像出力装置からの要求に応じて
画像データを送信すればよいため、画像供給装置の情報処理量がほとんど増加せず、画像
供給装置の情報処理性能が低くても本システムを実現することができる。
【００４３】
さらに、本発明の画像出力システムは、上記発明の画像出力システムのいずれかに加え
、画像供給装置に、画像出力の処理フローを制御する画像出力制御手段を備える。
【００４４】
この画像出力システムを利用すると、画像出力装置の情報処理性能が低くても本システ
ムを実現することができる。
【００４５】
さらに、本発明の画像出力システムは、上記発明の画像出力システムのいずれかに加え
、画像出力装置に操作部を備え、画像供給装置および画像出力装置が下記のとおり機能す
るものである。画像出力装置の第１の通信手段は、その操作部に対して所定の操作がある
と、画像出力ジョブ開始コマンドを制御情報として画像供給装置に送信する。画像供給装
置の画像出力制御手段は、第２の通信手段により画像出力ジョブ開始コマンドが受信され
ると、その画像出力ジョブ開始コマンドに従って画像出力の処理を開始する。
【００４６】
この画像出力システムを利用すると、ユーザが画像出力装置の操作部を操作することで
画像出力を行わせることができるため、画像出力装置の操作部により操作性が向上する。
【００４７】
さらに、本発明の画像出力システムは、上記発明の画像出力システムのいずれかに加え
、画像供給装置および画像出力装置が下記のとおり機能するものである。画像出力装置が
、ページレイアウト内の所定位置に割り当てられた印刷対象を示す再開情報を画像供給装
置に送信し、障害により印刷処理が中止された後に、印刷処理を新たに開始させる印刷ジ
ョブ開始コマンドとともに、再開時の最初の印刷対象を指定する制御情報を画像供給装置
から受信し、その印刷対象から印刷処理を再開する。画像供給装置は、その再開情報を受
信して記憶しておき、印刷処理を再開する場合に、その印刷ジョブ開始コマンドとともに
、最新の再開情報に基づいて再開時の最初の印刷対象を指定する制御情報を画像出力装置
へ送信する。
【００４８】
この画像出力システムを利用すると、復旧後に印刷処理を正確に再開することができる
。
【００４９】
さらに、本発明の画像出力システムは、上記発明の画像出力システムのいずれかに加え
、画像出力装置が、障害を検出した場合にのみ、再開情報を画像供給装置に送信するよう
にしたものである。
【００５０】
この画像出力システムを利用すると、再開情報を頻繁に送受する必要がないため、正常
動作時の処理を増加させることなく、復旧後に印刷処理を正確に再開することができる。
【００５１】
さらに、本発明の画像出力システムは、上記発明の画像出力システムのいずれかに加え
、画像出力装置が、ページごとに、再開情報を画像供給装置に送信するようにしたもので
ある。
【００５２】
この画像出力システムを利用すると、障害発生時に再開情報の送信が困難な場合でも、
復旧後に印刷処理を正確に再開することができる。
【００５３】
さらに、本発明の画像出力システムは、上記発明の画像出力システムのいずれかに加え
、再開情報に、ページレイアウト内の所定位置に割り当てられた印刷対象の属する印刷ジ
ョブのジョブＩＤ、画像供給装置内のその印刷対象の格納場所を示す情報、およびその印
刷対象の繰り返し供給回数のうちの少なくとも１つを含むようにしたものである。
【００５４】
この画像出力システムを利用すると、画像出力装置において、再開時の最初の印刷対象
が正確に特定され、復旧後に印刷処理を正確に再開することができる。
【００５５】
さらに、本発明の画像出力システムは、上記発明の画像出力システムのいずれかに加え
、画像供給装置が、再開情報に、印刷対象の繰り返し供給回数を少なくとも使用し、印刷
対象の繰り返し供給の途中で改ページが発生した場合には、繰り返し供給回数を残りの繰
り返し供給回数に変更するようにしたものである。
【００５６】
この画像出力システムを利用すると、繰り返し供給回数を複数に設定している場合でも
、復旧後に印刷処理を正確に再開することができる。
【００５７】
さらに、本発明の画像出力システムは、上記発明の画像出力システムのいずれかに加え
、画像供給装置および画像出力装置が下記のとおり機能するものである。画像出力装置は
、障害を検知すると、その旨を制御情報として画像供給装置に送信し、その後、印刷処理
を中止する。画像供給装置は、所定の指令を受け付けると、印刷処理の再開のために制御
情報を送信する。
【００５８】
この画像出力システムを利用すると、確実に復旧した後に所定の指令に呼応して印刷が
再開され、復旧後に印刷処理を正確に再開することができる。
【００５９】
さらに、本発明の画像出力システムは、上記発明の画像出力システムのいずれかに加え
、画像出力装置としてプリンタを備え、画像供給装置としてデジタルカメラを備える。
【００６０】
この画像出力システムを利用すると、パーソナルコンピュータなどのホスト機器を使用
せずに、複数のベンダによるデジタルカメラと、複数のベンダによるプリンタとの間で相
互的にダイレクト印刷が可能となる。
【００６１】
本発明の画像出力装置は、画像データを格納する画像供給装置に通信路を介して接続さ
れる通信回路と、画像データに基づき画像を出力する出力手段と、通信回路を制御して、
画像出力に係る制御情報をマークアップ言語で記述した一連のスクリプトとして通信路を
介して送受する通信制御部とを備える。
【００６２】
この画像出力装置を利用すると、画像出力システムにおいて、マークアップ言語の構文
の拡張性を利用して複数ベンダに対する互換性を維持しつつ、規定後にプロトコルを修正
し易くすることができる。
【００６３】
さらに、本発明の画像出力装置は、上記発明の画像出力装置に加え、マークアップ言語
の構文解析を行うパーサを備え、そのパーサは、マークアップ言語のタグのうち、画像出
力に係る制御情報の記述に必要なタグのみを判別する。
【００６４】
この画像出力装置を利用すると、パーサを小規模な回路やプログラムで実現でき、画像
出力装置を安価にすることができる。
【００６５】
さらに、本発明の画像出力装置は、上記発明の画像出力装置のいずれかに加え、スクリ
プトのテンプレートを前記制御情報の種類ごとに格納し、テンプレートから制御情報のス
クリプトを生成する。
【００６６】
この画像出力装置を利用すると、短時間で制御情報のスクリプトを生成することができ
る。
【００６７】
本発明の画像供給装置は、画像データを格納する記録媒体と、画像データに基づき画像
を出力する画像出力装置に通信路を介して接続される通信回路と、通信回路を制御して、
画像出力に係る制御情報をマークアップ言語で記述した一連のスクリプトとして通信路を
介して送受する通信制御部とを備える。
【００６８】
この画像供給装置を利用すると、画像出力システムにおいて、マークアップ言語の構文
の拡張性を利用して複数ベンダに対する互換性を維持しつつ、規定後にプロトコルを修正
し易くすることができる。
【００６９】
さらに、本発明の画像供給装置は、上記発明の画像供給装置に加え、マークアップ言語
の構文解析を行うパーサを備え、そのパーサは、マークアップ言語のタグのうち、画像出
力に係る制御情報の記述に必要なタグのみを判別する。
【００７０】
この画像供給装置を利用すると、パーサを小規模な回路やプログラムで実現でき、画像
出力装置を安価にすることができる。
【００７１】
さらに、本発明の画像供給装置は、上記発明の画像供給装置のいずれかに加え、スクリ
プトのテンプレートを制御情報の種類ごとに格納し、そのテンプレートから制御情報のス
クリプトを生成する。
【００７２】
この画像供給装置を利用すると、短時間で制御情報のスクリプトを生成することができ
る。
【００７３】
本発明の制御プログラムは、記録媒体に記録され、あるいは、伝送媒体により伝送され
、画像出力装置を制御するための制御プログラムであって、コンピュータを、画像データ
を格納する画像供給装置に通信路を介して接続される通信回路を制御して、画像出力に係
る制御情報をマークアップ言語で記述した一連のスクリプトとして通信路を介して送受す
る通信制御部として機能させるものである。
【００７４】
この制御プログラムを画像出力装置において実行すると、画像出力システムにおいて、
マークアップ言語の構文の拡張性を利用して複数ベンダに対する互換性を維持しつつ、規
定後にプロトコルを修正し易くすることができる。
【００７５】
本発明の制御プログラムは、記録媒体に記録され、あるいは、伝送媒体により伝送され
、画像供給装置を制御するための制御プログラムであって、コンピュータを、画像データ
に基づき画像を出力する画像出力装置に通信路を介して接続される通信回路を制御して、
画像出力に係る制御情報をマークアップ言語で記述した一連のスクリプトとして通信路を
介して送受する通信制御部として機能させるものである。
【００７６】
この制御プログラムを画像供給装置において実行すると、画像出力システムにおいて、
マークアップ言語の構文の拡張性を利用して複数ベンダに対する互換性を維持しつつ、規
定後にプロトコルを修正し易くすることができる。
【００７７】
本発明の画像出力方法は、画像データを格納する画像供給装置と、画像データに基づき
画像を出力する画像出力装置との間で、通信路を介して制御情報を送受して、画像供給装
置に格納された画像データに基づく画像を画像出力装置により出力する画像出力方法であ
って、画像供給装置と画像出力装置との間で、画像出力に係る制御情報をマークアップ言
語で記述した一連のスクリプトとして通信路を介して送受する。
【００７８】
この画像出力方法を利用すると、画像出力システムにおいて、マークアップ言語の構文
の拡張性を利用して複数ベンダに対する互換性を維持しつつ、規定後にプロトコルを修正
し易くすることができる。
【００７９】
さらに、本発明の画像出力方法は、上記発明の画像出力方法に加え、マークアップ言語
で記述した一連のスクリプトとして、画像出力の対象となる画像データを含まず、画像出
力に係る制御情報のみを含むスクリプトを送受する。
【００８０】
この画像出力方法を利用すると、画像出力の対象となるデータの形式を既存のものから
変更することなく、画像出力の対象となるデータから独立してマークアップ言語による制
御情報を送受することができる。
【００８１】
さらに、本発明の画像出力方法は、上記発明の画像出力方法のいずれかに加え、画像出
力装置が、ページレイアウト内の所定位置に割り当てられた印刷対象を示す再開情報を前
記画像供給装置に送信し、画像供給装置が、その再開情報を受信して記憶し、画像供給装
置が、画像出力装置の印刷処理を再開する場合に、印刷処理を新たに開始させる印刷ジョ
ブ開始コマンドとともに、最新の再開情報に基づいて再開時の最初の印刷対象を指定する
制御情報を、画像出力装置へ送信し、画像出力装置が、障害により印刷処理が中止された
後に、印刷処理を新たに開始させる印刷ジョブ開始コマンドとともに、再開時の最初の印
刷対象を指定する制御情報を、画像供給装置から受信し、その印刷対象から印刷処理を再
開する。
【００８２】
この画像出力方法を利用すると、復旧後に印刷処理を正確に再開することができる。
【発明の効果】
【００８３】
本発明によれば、複数ベンダに対する互換性を維持しつつ、規定後にプロトコルを修正
し易い画像出力システム、画像供給装置、画像出力装置、制御プログラムおよび画像出力
方法を得ることができる。
【発明を実施するための最良の形態】
【００８４】
以下、図に基づいて本発明の実施の形態を説明する。
【００８５】
実施の形態１．
図１は、本発明の実施の形態１に係る画像出力システムの構成を示すブロック図である
。この画像出力システムは、いわゆるダイレクト印刷システムの一種である。図１におい
て、画像出力装置１は、画像データに基づき画像を出力する装置である。画像出力装置１
の形態としては、画像データに基づき画像を紙などに印刷するプリンタなどがある。また
、画像供給装置２は、画像データを格納し、必要に応じてその画像データを送信可能な装
置である。画像供給装置２の形態としては、撮影した画像を画像データとして所定の記録
媒体に記憶するデジタルカメラなどがある。
【００８６】
通信路３は、画像出力装置１と画像供給装置２とを接続する伝送媒体である。この通信
路３は、有線の通信路に限定されず、無線の通信路を使用してもよい。実施の形態１では
、通信路３には、ＵＳＢ（Universal Serial Bus）のケーブルが使用される。なお、通信
路３が有線通信路である場合には、画像出力装置１と画像供給装置２には図示せぬコネク
タが設けられ、通信路３のケーブルの両端のコネクタと両装置１，２のコネクタとが、そ
れぞれ接続される。
【００８７】
図１に示す画像出力装置１において、通信回路１１は、通信路３を介して各種情報を電
気信号として送受する回路である。また、通信制御部１２は、通信回路１１を制御し、各
種プロトコルに従って通信相手と情報を送受する回路または装置である。なお、この通信
回路１１および通信制御部１２は、画像出力に係る制御情報をマークアップ言語で記述し
た一連のスクリプトとして通信路３を介して送受する第１の通信手段として機能する。
【００８８】
また、出力制御部１３は、出力機構１４を制御および監視し、画像出力処理（画像出力
装置１がプリンタである場合には印刷処理）を制御する回路または装置である。実施の形
態１では、この出力制御部１３が、画像出力の処理フローを制御する画像出力制御手段と
して機能する。出力機構１４は、画像を出力する機械的および／または電気的な構成部で
ある。プリンタの場合の出力機構１４としては、印字機構、紙送り機構などが該当する。
また、出力制御部１３および出力機構１４により、画像データに基づき画像を出力する出
力手段が構成される。
【００８９】
また、操作部１５は、ユーザにより操作され、その操作に応じた信号を出力する回路ま
たは装置である。この操作部１５としては、各種スイッチ、タッチパネルなどが、適宜使
用される。表示装置１６は、各種情報を表示する装置である。この表示装置１６としては
、各種インジケータ、液晶ディスプレイなどが、適宜使用される。
【００９０】
電源回路１７は、例えば商用電源やＡＣ／ＤＣ変換器に接続され、供給された電力を内
部の回路に供給する回路である。
【００９１】
図１に示す画像供給装置２において、通信回路２１は、通信路３を介して各種情報を電
気信号として送受する回路である。また、通信制御部２２は、通信回路２１を制御し、各
種プロトコルに従って通信相手と情報を送受する回路または装置である。なお、この通信
回路２１および通信制御部２２は、画像出力に係る制御情報をマークアップ言語で記述し
た一連のスクリプトとして通信路３を介して送受する第２の通信手段として機能する。
【００９２】
また、中央制御部２３は、通信制御部２２、記録媒体２４などの各種機能の有する回路
または装置との間で各種情報の授受を行いながら、各種処理を実行する回路または装置で
ある。
【００９３】
記録媒体２４は、画像データを含む１または複数の画像データファイル３１を格納する
装置である。画像データファイル３１は、例えばデジタルカメラにより撮影された画像、
その他の画像の画像データを含むファイルである。この画像データの形式は、例えばＪＰ
ＥＧ（Joint Photographic Experts Group）形式、ＥＸＩＦ（EXchangeable Image File 
）形式などとされる。
【００９４】
なお、記録媒体２４としては、半導体メモリ、半導体メモリを使用したメモリカード、
磁気記録媒体、光記録媒体、光磁気記録媒体などが使用され、画像供給装置２の内部に固
定されていてもよいし、画像供給装置２に対して着脱可能でもよい。
【００９５】
操作部２５は、ユーザにより操作され、その操作に応じた信号を出力する回路または装
置である。この操作部１５としては、各種スイッチ、タッチパネルなどが、適宜使用され
る。表示装置２６は、画像データに基づく画像などの各種情報を表示する装置である。こ
の表示装置２６としては、各種インジケータ、液晶ディスプレイなどが、適宜使用される
。
【００９６】
バッテリ２７は、画像供給装置２の内部回路に電力を供給する電池である。なお、バッ
テリ２７としては、蓄電池、使い捨て電池などが使用される。また、画像供給装置２が可
搬性を要求される装置である場合には、電源としてバッテリ２７が設けられるが、画像供
給装置２が可搬性を要求されない装置である場合には、電源として画像出力装置１の電源
回路１７のような電源回路を代わりに設けるようにしてもよい。
【００９７】
図２は、実施の形態１に係る画像出力システムにおいて、画像出力装置１と画像供給装
置２との間で使用されるプロトコルの一例を示す図である。
【００９８】
この実施の形態１では、まず、物理層として、上述のとおり、ＵＳＢケーブルである通
信路３が使用される。そして、この実施の形態１における画像出力装置１および画像供給
装置２では、その物理層を制御する層として、ＵＳＢ層があり、ＵＳＢクラスとしてスチ
ルイメージクラス（ＳＩＣ）が使用される。これにより、データ伝送路が実現される。な
お、ＵＳＢ規格については、現在ＵＳＢ１．１、ＵＳＢ２．０など存在するが、将来提案
される次バージョン以降のものでもよく、ＵＳＢと同等の通信規格のものを代わりに使用
してもよい。なお、通信路３にＵＳＢを使用する場合、画像出力装置１がホストとなり、
画像供給装置２がデバイスとなる。
【００９９】
そして、その上位において、デジタル静止画装置（ＤＳＰＤ）の外部からの制御やデジ
タル静止画装置（ＤＳＰＤ）の外部への画像データ転送を規定した画像転送プロトコル（
ＰＴＰ）が使用される。なお、ＰＴＰの標準規格としては、ＰＨＯＴＯＧＲＡＰＨＩＣ  
ＡＮＤ  ＩＭＡＧＩＮＧ  ＭＡＮＵＦＡＣＴＵＲＥＲＳ  ＡＳＳＯＣＩＡＴＩＯＮ，ＩＮ
Ｃの「ＰＩＭＡ１５７４０：２０００」がある。なお、ＰＴＰは、ＤＳＰＤ間での画像デ
ータの交換のための通信方式を提供するプロトコルであり、ＰＴＰでは、ストレージ内の
オブジェクト（画像データファイルなど）は、パスではなく、オブジェクトＩＤ（オブジ
ェクトハンドル）で指定される。
【０１００】
この実施の形態１では、上述のＰＴＰの上位で、デジタルカメラなどの画像供給装置２
に格納された画像データを、通信路３を介して直接、プリンタなどの画像出力装置１へ供
給し、印刷を行うためのプロトコルであるダイレクトプリントサービス（以下、ＤＰＳと
いう）プロトコルが使用される。ＤＰＳプロトコルでは、画像出力装置１と画像供給装置
２との間で、画像出力に係る制御情報が、マークアップ言語（ここでは、ＸＭＬ；eXtens
ible Markup Language）で記述した一連のスクリプトとして通信路３を介して送受される
。なお、画像出力に係る制御情報としては、画像出力処理における各種コマンド、そのコ
マンドに対する応答、装置の状態の通知などがある。また、このスクリプトには、制御情
報のみが含まれ、画像出力の対象となる画像データ自体は含まれない。すなわち、画像デ
ータファイルの格納場所などの情報はこのスクリプトに含まれるが、画像データそのもの
は含まれない。
【０１０１】
なお、ＤＰＳプロトコルの下位層はＰＴＰに限定されない。そのため、ＤＰＳプロトコ
ルと複数種類の下位層との整合性を得るために、ＤＰＳプロトコルと下位層（ここではＰ
ＴＰ）との間にはラッパー層が設けられている。
【０１０２】
実施の形態１では、上述の各プロトコルのうち、物理層が、通信回路１１、通信路３お
よび通信回路２１により実現され、ＵＳＢ層が、通信回路１１および通信回路２１により
実現され、ＰＴＰ層、ラッパー層およびＤＰＳプロトコル層が、通信制御部１２および通
信制御部２２により実現される。
【０１０３】
すなわち、通信制御部１２，２２が、それぞれ、マークアップ言語で記述した画像出力
に係る制御情報を送受する画像出力制御プロトコルであるＤＰＳプロトコルを解釈する第
１のエンティティ、第１のエンティティに下位層で、画像供給装置２に格納された画像デ
ータを管理し画像出力装置１へ転送する画像データ管理転送プロトコルであるＰＴＰを解
釈する第２のエンティティ、および第２のエンティティに下位層で、通信路３の物理層を
制御する第３のエンティティとして機能する。
【０１０４】
また、各通信制御部１２，２２のラッパー層の部分が、第２のエンティティの画像デー
タ管理転送プロトコルの種類に応じた、第１のエンティティの画像出力制御プロトコルと
画像データ管理転送プロトコルとの間でのプロトコル変換を行うプロトコル変換手段とし
て機能する。すなわち、必要に応じて、各通信制御部１２，２２のラッパー層が、上位プ
ロトコル（ＤＰＳプロトコル）のコマンドを下位プロトコル（ＰＴＰ）のコマンドに置き
換える。
【０１０５】
図３は、実施の形態１に係る画像出力システムにおける画像出力装置としてのプリンタ
の構成例を示すブロック図である。図３において、ＣＰＵ４１は、プログラムを実行し、
プログラムに記述された処理を実行する装置である。また、ＲＯＭ４２は、プログラムお
よびデータを予め記憶したメモリである。また、ＲＡＭ４３は、プログラムを実行する際
にそのプログラムおよびデータを一時的に記憶するメモリである。
【０１０６】
なお、ＣＰＵ４１が実行するプログラムとしては、画像データから印刷用の制御データ
を生成するためのプログラム、並びにＤＰＳプロトコルおよび画像転送プロトコルに従っ
て通信を行うためのプログラムがＲＯＭ４２または図示せぬ他の記録媒体に格納されてい
る。
【０１０７】
プリントエンジン４４は、ＣＰＵ４１から供給される印刷用の制御データに基づいて出
力機構１４を制御して印刷処理を実行する回路または装置である。
【０１０８】
ＵＳＢホスト側インタフェース４５は、図１の通信回路１１に該当し、ＵＳＢに規定さ
れたホスト側のインタフェース回路である。
【０１０９】
バス４６は、ＣＰＵ４１、ＲＯＭ４２、ＲＡＭ４３、プリントエンジン４４、ＵＳＢホ
スト側インタフェース４５、操作部１５および表示装置１６を相互に接続する信号路であ
る。なお、バス４６の本数、およびＣＰＵ４１、プリントエンジン４４などのバス４６へ
の接続のトポロジは、図３のものに限定されるものではない。
【０１１０】
なお、図３における操作部１５および表示装置１６は、図１のものと同様である。
【０１１１】
図４は、実施の形態１に係る画像出力システムにおける画像出力装置１の有する複数の
機能の関係を示す図である。図４において、通信制御機能５１は、画像転送プロトコル以
下の通信制御を行う機能である。
【０１１２】
また、ＤＰＳプロトコル処理機能５２は、ＤＰＳプロトコルに規定された制御情報を生
成または解釈するＤＰＳコマンド処理機能６１、制御情報に対応するＸＭＬ（eXtensible
Markup Language）スクリプトを生成するＸＭＬスクリプト生成機能６２、およびＸＭＬ
で記述された制御情報を構文解析するＸＭＬパーサ６３を含む。
【０１１３】
なお、このＸＭＬパーサ６３は、ＸＭＬのすべての構文を解析可能に設計されていても
よいし、ＤＰＳプロトコルで使用される構文のみを解析可能としてもよい。その場合には
、ＸＭＬパーサ６３は、ＤＰＳプロトコルに係るＸＭＬスクリプトの記述に必要なタグの
みを判別できればよい。
【０１１４】
また、このＸＭＬスクリプト生成機能６２は、ＸＭＬスクリプトのテンプレートをコマ
ンドなどの制御情報の種類ごとにＲＯＭ４２などに予め格納し、そのテンプレートを編集
して、制御情報を示すＸＭＬスクリプトを生成するようにしてもよい。
【０１１５】
また、画像処理機能５３は、画像データのフォーマットを変更する機能であり、印刷デ
ータ生成機能５４は、フォーマット変更後の画像データから印刷用の制御データを生成す
る機能であり、印刷制御機能５５は、印刷用の制御データに従って印刷処理を実行させる
機能である。
【０１１６】
また、状態管理機能５６は、上述の各機能による処理の状態を監視する機能である。
【０１１７】
なお、これらの機能は、上述のプログラムをＣＰＵ４１により実行することで実現され
る。
【０１１８】
図５は、実施の形態１に係る画像出力システムにおける画像供給装置２としてのデジタ
ルカメラの構成例を示すブロック図である。図５において、ＣＰＵ７１は、プログラムを
実行し、プログラムに記述された処理を実行する装置である。また、ＲＯＭ７２は、プロ
グラムおよびデータを予め記憶したメモリである。また、ＲＡＭ７３は、プログラムを実
行する際にそのプログラムおよびデータを一時的に記憶するメモリである。
【０１１９】
なお、ＣＰＵ７１が実行するプログラムとしては、撮影時の各部の制御を行うためのプ
ログラム、並びにＤＰＳプロトコルおよび画像転送プロトコルに従って通信および画像デ
ータの管理を行うためのプログラムがＲＯＭ７２または図示せぬ他の記録媒体に格納され
ている。
【０１２０】
撮影装置７４は、ＣＰＵ７１からの指令に応じて、被写体の撮影を行い、撮影後の画像
データを、メモリカード７５に格納する装置である。
【０１２１】
メモリカード７５は、図１の記録媒体２４に該当し、撮影により得られた画像データな
どを格納する記録媒体である。なお、メモリカード７５の代わりに、装置内に固定された
半導体メモリ、磁気記録装置などを使用するようにしてもよい。
【０１２２】
ＵＳＢデバイス側インタフェース７６は、図１の通信回路２１に該当し、ＵＳＢに規定
されたデバイス側のインタフェース回路である。
【０１２３】
バス７７は、ＣＰＵ７１、ＲＯＭ７２、ＲＡＭ７３、撮影装置７４、メモリカード７５
、ＵＳＢデバイス側インタフェース７６、操作部２５、および表示装置２６を相互に接続
する信号路である。なお、バス７７の本数、およびＣＰＵ７１などのバス７７への接続の
トポロジは、図５のものに限定されるものではない。
【０１２４】
なお、図５における操作部２５および表示装置２６は、図１のものと同様である。
【０１２５】
図６は、実施の形態１に係る画像出力システムにおける画像供給装置２の有する複数の
機能の関係を示す図である。図６において、通信制御機能８１は、画像転送プロトコル以
下の通信制御を行う機能である。
【０１２６】
また、ＤＰＳプロトコル処理機能８２は、ＤＰＳプロトコルに規定された制御情報を生
成または解釈するＤＰＳコマンド処理機能９１、制御情報に対応するＸＭＬスクリプトを
生成するＸＭＬスクリプト生成機能９２、およびＸＭＬで記述された制御情報を構文解析
するＸＭＬパーサ９３を含む。
【０１２７】
なお、このＸＭＬパーサ９３は、ＸＭＬのすべての構文を解析可能に設計されていても
よいし、ＤＰＳプロトコルで使用される構文のみを解析可能としてもよい。その場合には
、ＸＭＬパーサ９３は、ＤＰＳプロトコルに係るＸＭＬスクリプトの記述に必要なタグの
みを判別できればよい。
【０１２８】
また、このＸＭＬスクリプト生成機能９２は、ＸＭＬスクリプトのテンプレートをコマ
ンドなどの制御情報の種類ごとにＲＯＭ７２などに予め格納し、そのテンプレートを編集
して、制御情報を示すＸＭＬスクリプトを生成するようにしてもよい。
【０１２９】
また、ファイルシステム管理機能８３は、記録媒体２４としてのメモリカード７５に、
所定のディレクトリ構造およびファイル構造に従って、画像データを画像データファイル
３１として保持する機能である。
【０１３０】
また、ユーザインタフェース機能８４は、ユーザによる操作部２５への操作の受け付け
、および表示装置２６での各種情報の表示を行う機能である。
【０１３１】
また、設定管理機能８５は、ユーザによる操作に応じて、印刷処理などの条件を設定す
る機能である。状態管理機能８６は、上述の各機能による処理の状態を監視する機能であ
る。
【０１３２】
なお、これらの機能は、上述のプログラムをＣＰＵ７１により実行することで実現され
る。
【０１３３】
次に、上記システムにおける各装置の動作について説明する。図７は、実施の形態１に
係る画像出力システムにおける、ＤＰＳプロトコルレベルでの画像出力処理を説明する図
である。図８は、実施の形態１に係る画像出力システムにおける、画像転送プロトコルレ
ベルでの画像出力処理を説明する図である。
【０１３４】
まず、例えば操作部２５に対して所定の操作があると、画像供給装置２が、通信路３を
介して画像出力装置１へ、画像出力ジョブ開始コマンドを送信する（ステップＳ１）。
【０１３５】
その際、画像供給装置２では、通信制御部２２が、ＤＰＳプロトコルに従って、画像出
力ジョブ開始コマンドＤＰＳ＿ＳｔａｒｔＪｏｂのＸＭＬスクリプトを生成し、送信する
。ここでは、このＸＭＬスクリプト内で、画像出力の対象となる画像データが指定される
。
【０１３６】
なお、画像出力ジョブ開始コマンドＤＰＳ＿ＳｔａｒｔＪｏｂには、次のジョブ条件設
定情報および画像出力情報が含まれる。
【０１３７】
ジョブ条件設定情報としては、このジョブでの画像出力の品質を設定するクオリティ情
報、印刷ジョブにおける用紙タイプ情報、印刷ジョブにおける用紙サイズ情報、画像形式
情報、画像最適化設定情報、ページレイアウト情報などが必要に応じて含まれる。
【０１３８】
画像出力情報としては、クロッピングを行う際の領域を指定するクロッピングエリア情
報、画像データのオブジェクトＩＤ、各画像についての印刷部数情報、各ジョブを固有な
ジョブＩＤ、画像データまたはジョブ指定ファイルのパス情報、各画像データの繰り返し
供給回数情報（すなわち、同一の画像データを連続して何回、画像出力装置１へ供給する
かを示す情報）などが必要に応じて含まれる。
【０１３９】
図９は、実施の形態１において使用される画像出力ジョブ開始コマンドＤＰＳ＿Ｓｔａ
ｒｔＪｏｂのＸＭＬスクリプトの一例を示す図である。図９において、ｊｏｂタグは、１
つのジョブを指定するためのタグである。なお、ｘｘタグといった場合、＜ｘｘ＞タグと
＜／ｘｘ＞タグの両方を指すものとする（以下、同様）。ｊｏｂタグの下位には、ｊｏｂ
ＣｏｎｆｉｇタグおよびＰｒｉｎｔＩｎｆｏタグが配置される。ｊｏｂＣｏｎｆｉｇタグ
は、ジョブ条件設定情報を指定するためのタグである。
【０１４０】
図９に示すスクリプトにおいては、ｊｏｂＣｏｎｆｉｇタグの下位に、ｑｕａｌｉｔｙ
タグ、ｐａｐｅｒＳｉｚｅタグ、ｐａｐｅｒＴｙｐｅタグ、ｆｉｌｅＴｙｐｅタグ、ｄａ
ｔｅタグ、ｆｉｌｅＮａｍｅタグ、ｉｍａｇｅＯｐｔｉｍｉｚｅタグ、およびｌａｙｏｕ
ｔＩｔｅｍタグが配置される。
【０１４１】
ｑｕａｌｉｔｙタグは、標準、ドラフト、ファインなどのクオリティ情報を指定するた
めのタグである。ｐａｐｅｒＳｉｚｅタグは、Ａ４サイズなどの、このジョブにおける用
紙サイズ情報を指定するためのタグであり、所定の数値（例えば、０２０１００００）で
、用紙サイズが指定される。ｐａｐｅｒＴｙｐｅタグは、標準用紙、写真用紙などの、こ
のジョブにおける用紙タイプ情報を指定するためのタグであり、所定の数値（例えば、０
３０２００００）で、用紙サイズが指定される。ｆｉｌｅＴｙｐｅタグは、ＥＸＩＦ、Ｊ
ＰＥＧ、ＴＩＦＦ、ＧＩＦなどの、このジョブにおける画像形式情報を指定するためのタ
グであり、所定の数値（例えば、０３０２００００）で、画像形式が指定される。
【０１４２】
さらに、ｄａｔｅタグは、ｐｒｉｎｔＩｎｆｏで指定される日付情報を印刷するか否か
を指定するためのタグである。ｆｉｌｅＮａｍｅタグは、ｐｒｉｎｔＩｎｆｏで指定され
るファイルパス情報を印刷するか否かを指定するためのタグである。ｉｍａｇｅＯｐｔｉ
ｍｉｚｅタグは、画像最適化を行うか否かを示す画像最適化設定情報を指定するためのタ
グである。ｌａｙｏｕｔＩｔｅｍタグは、このジョブにおけるページレイアウトを指定す
るためのタグであり、所定の数値（例えば、０８０１００００）で、画像形式が指定され
る。
【０１４３】
また、ｐｒｉｎｔＩｎｆｏタグは、画像出力情報を指定するためのタグである。ｐｒｉ
ｎｔＩｎｆｏタグの下位には、ｉｍａｇｅタグが配置される。ｉｍａｇｅタグは、画像出
力対象の画像を指定するためのタグである。図９に示すスクリプトにおいては、ｉｍａｇ
ｅタグの下位に、ｉｍａｇｅＩＤタグおよびｉｍａｇｅＤａｔｅタグが配置される。ｉｍ
ａｇｅＩＤタグは、画像出力対象の画像データのオブジェクトＩＤを指定するためのタグ
である。ｉｍａｇｅＤａｔｅタグは、画像の脇に印刷される日付を指定するためのタグで
ある。
【０１４４】
図９に示すスクリプトでは、ｉｍａｇｅタグは、１つだけであるが、複数の画像を出力
する場合には、複数の画像のうちの各画像について、ｉｍａｇｅタグにより画像データの
オブジェクトＩＤが指定される。また、同一の画像を複数回連続して出力する場合には、
その画像のｉｍａｇｅタグの次に、ｃｏｐｉｅｓタグを配置して、その繰り返し供給回数
を指定すればよい。
【０１４５】
なお、図９におけるｄｐｓタグは、ＤＰＳに係るＸＭＬスクリプトであることを示すタ
グであり、属性としてＤＰＳで使用される名前空間情報の格納場所のＵＲＬ（Uniform Re
source Locator）をとる。
【０１４６】
画像供給装置２の通信制御部２２は、ＤＰＳプロトコル上ではジョブ開始コマンドのＸ
ＭＬスクリプトを論理的には送信するが、そのＸＭＬスクリプトを画像転送プロトコルの
コマンドに変換し、画像転送プロトコルのレベルでそのコマンドを処理する。
【０１４７】
つまり、画像転送プロトコルに従って、画像供給装置２の通信制御部２２は、まず、フ
ァイル転送要求コマンドＲｅｑｕｅｓｔＯｂｊｅｃｔＴｒａｎｓｆｅｒを送信する（ステ
ップＳＳ１）。このコマンドは、ＵＳＢ層および物理層を介して画像出力装置１に伝送さ
れる。
【０１４８】
画像出力装置１では、通信制御部１２が、画像転送プロトコルに従って、ファイル転送
要求コマンドＲｅｑｕｅｓｔＯｂｊｅｃｔＴｒａｎｓｆｅｒを受信すると、転送するファ
イルの属性を問い合わせるコマンドＧｅｔＯｂｊｅｃｔＩｎｆｏを送信する（ステップＳ
Ｓ２）。このコマンドは、ＵＳＢ層および物理層を介して画像供給装置２に伝送される。
【０１４９】
画像供給装置２では、通信制御部２２が、画像転送プロトコルに従って、コマンドＧｅ
ｔＯｂｊｅｃｔＩｎｆｏを受信すると、コマンドＤＰＳ＿ＳｔａｒｔＪｏｂのＸＭＬスク
リプトのファイル情報（ファイル形式、ファイル容量など）を送信する（ステップＳＳ３
）。このファイル情報は、ＵＳＢ層および物理層を介して画像出力装置１に伝送される。
【０１５０】
画像出力装置１では、通信制御部１２が、画像転送プロトコルに従って、そのファイル
情報を受信すると、そのＸＭＬスクリプトを指定してファイル取得コマンドＧｅｔＯｂｊ
ｅｃｔを送信する（ステップＳＳ４）。このファイル情報は、ＵＳＢ層および物理層を介
して画像供給装置２に伝送される。
【０１５１】
画像供給装置２では、通信制御部２２が、画像転送プロトコルに従って、コマンドＧｅ
ｔＯｂｊｅｃｔを受信すると、指定されたファイル（コマンドＤＰＳ＿ＳｔａｒｔＪｏｂ
のＸＭＬスクリプト）を送信する（ステップＳＳ５）。このファイルは、ＵＳＢ層および
物理層を介して画像出力装置１に伝送される。
【０１５２】
画像出力装置１では、通信制御部１２が、画像転送プロトコルに従ってそのファイルを
受信すると、ＤＰＳプロトコル層においてコマンドＤＰＳ＿ＳｔａｒｔＪｏｂを受信した
こととなる。
【０１５３】
ここで、画像出力装置１が図３および図４に示すプリンタであり、かつ画像供給装置２
が図５および図６に示すデジタルカメラである場合、ＤＰＳプロトコルでの通信は、ＤＰ
Ｓプロトコル処理機能５２，８２および通信制御機能５１，８１により行われ、画像転送
プロトコルでの通信は、通信制御機能５１と通信制御機能８１との間で行われる。
【０１５４】
次に、画像出力装置１は、取得した画像出力ジョブ開始コマンドのＸＭＬスクリプトを
解釈し（ステップＳ２）、そのＸＭＬスクリプトに記述された画像出力の対象である画像
データを画像供給装置２から取得する（ステップＳ３）。
【０１５５】
この実施の形態１では、画像供給装置２からの画像出力ジョブ開始コマンドを受けた後
、画像出力装置１が、その画像出力ジョブの処理フローを制御する。すなわち、画像出力
装置１が、画像出力処理の進行を管理し、画像出力処理に必要な情報や画像データを画像
供給装置２から適宜取得する。
【０１５６】
その際、画像出力装置１では、通信制御部１２が、ＤＰＳプロトコルに従って、ＸＭＬ
スクリプト内に記載されたオブジェクトＩＤ（ＰＴＰにおけるオブジェクトＩＤに対応）
で画像データファイル３１を指定してＸＭＬスクリプトのファイル取得コマンドＤＰＳ＿
ＧｅｔＦｉｌｅを発行する。なお、あるオブジェクトについてのＰＴＰにおけるオブジェ
クトＩＤとＤＰＳプロトコルにおけるオブジェクトＩＤは、同値としてもよいし、互いに
異なる値としてもよい。両者の値が異なる場合には、ＤＰＳプロトコルとＰＴＰとの間で
、オブジェクトＩＤのマッピングが適宜行われる。
【０１５７】
図１０は、実施の形態１において使用されるファイル取得コマンドＤＰＳ＿ＧｅｔＦｉ
ｌｅのＸＭＬスクリプトの一例を示す図である。図１０において、ｇｅｔＦｉｌｅＲｅｑ
ｕｅｓｔタグは、ファイル取得コマンドであることを示すタグである。図１０においては
、ｇｅｔＦｉｌｅＲｅｑｕｅｓｔタグの下位に、ｆｉｌｅＩＤタグおよびｂｕｆｆＰｔｒ
タグが配置される。ｆｉｌｅＩＤタグは、取得対象のファイルのオブジェクトＩＤを指定
するためのタグである。ｂｕｆｆＰｔｒタグは、取得したファイルの受信に使用するバッ
ファへのポインタを指定するためのタグである。
【０１５８】
通信制御部１２は、そのＤＰＳプロトコルのファイル取得コマンドＤＰＳ＿ＧｅｔＦｉ
ｌｅを、画像転送プロトコルのファイル取得コマンドＧｅｔＯｂｊｅｃｔに変換し、送信
する。このコマンドは、ＵＳＢ層および物理層を介して画像供給装置２に伝送される。
【０１５９】
なお、ファイル全体を取得するファイル取得コマンドＤＰＳ＿ＧｅｔＦｉｌｅの代わり
に、ファイルの一部を取得するファイル部分取得コマンドＤＰＳ＿ＧｅｔＰａｒｔｉａｌ
Ｆｉｌｅを複数回送信してファイル全体を取得するようにしてもよい。このファイル部分
取得コマンドＤＰＳ＿ＧｅｔＰａｒｔｉａｌＦｉｌｅは、画像転送プロトコルのコマンド
ＧｅｔＰａｒｔｉａｌＯｂｊｅｃｔに変換される。
【０１６０】
画像供給装置２では、通信制御部２２が、画像転送プロトコルに従って、コマンドＧｅ
ｔＯｂｊｅｃｔを受信すると、指定されたオブジェクトＩＤのファイル（画像データファ
イル３１）を読み出し、送信する。このファイルは、ＵＳＢ層および物理層を介して画像
出力装置１に伝送される。
【０１６１】
画像出力装置１では、通信制御部１２が、画像転送プロトコルに従ってそのファイルを
受信すると、ＤＰＳプロトコル層においてもそのファイルを受信したこととなる。
【０１６２】
ここで、画像出力装置１が図３および図４に示すプリンタであり、かつ画像供給装置２
が図５および図６に示すデジタルカメラである場合、この画像データの取得には、画像出
力装置１におけるＤＰＳプロトコル処理機能５２および通信制御機能５１、並びに、画像
供給装置２における通信制御機能８１およびファイルシステム管理機能８３が使用される
。
【０１６３】
そして、画像出力装置１は、画像データを取得すると、その画像データに基づく画像を
出力する（ステップＳ４）。その際、画像出力装置１では、出力制御部１３および出力機
構１４が、画像出力処理を行う。
【０１６４】
ここで、画像出力装置１が図３および図４に示すプリンタである場合、画像出力処理に
は、画像処理機能５３、印刷データ生成機能５４および印刷制御機能５５が使用される。
【０１６５】
以上のように、上記実施の形態１によれば、画像出力装置１および画像供給装置２が、
画像出力に係る制御情報をマークアップ言語で記述した一連のスクリプトとして通信路３
を介して送受する。これにより、マークアップ言語の構文の拡張性を利用して複数ベンダ
に対する互換性を維持しつつ、規定後にプロトコルを修正し易くすることができる。
【０１６６】
さらに、上記実施の形態１によれば、マークアップ言語として、文書型を追加定義可能
であるＸＭＬを使用する。これにより、規定後にプロトコルをより修正し易くすることが
できる。
【０１６７】
さらに、上記実施の形態１によれば、通信制御部１２，２２が、マークアップ言語で記
述した画像出力に係る制御情報を送受するＤＰＳプロトコルを解釈する第１のエンティテ
ィと、第１のエンティティに下位層で、画像供給装置２に格納された画像データを管理し
画像出力装置１へ転送するＰＴＰを解釈する第２のエンティティと、第２のエンティティ
に下位層で、通信路３の物理層（ここではＵＳＢ）を制御する第３のエンティティとして
それぞれ機能する。これにより、ＰＴＰ以下の階層では様々な既存のプロトコルを使用で
き、規定後に画像出力に係るプロトコルを修正したい場合に、ＤＰＳプロトコルのみを修
正すればよく、修正規模を小さくすることができる。
【０１６８】
さらに、上記実施の形態１によれば、通信制御部１２，２２は、ラッパー層にて、第２
のエンティティの画像データ管理転送プロトコルの種類（ここではＰＴＰ）に応じた、第
１のエンティティのＤＰＳプロトコルと画像データ管理転送プロトコルとの間でのプロト
コル変換を行う。これにより、採用される画像データ管理転送プロトコルの違いがラッパ
ー層で吸収されるため、規定後に画像出力に係るプロトコルを修正したい場合に、ラッパ
ー層をほとんど修正せずに画像出力制御プロトコルのみを修正すればよく、修正規模を小
さくすることができる。
【０１６９】
さらに、上記実施の形態１によれば、画像出力装置１の出力制御部１３が、画像出力の
処理フローを制御する。これにより、画像供給装置２の情報処理量がほとんど増加せず、
画像供給装置２の情報処理性能が低くても本システムを実現することができる。
【０１７０】
さらに、上記実施の形態１によれば、通信制御部１２，２２が、画像出力に係る制御情
報として、画像出力処理における制御コマンド、その制御コマンドに対する応答、および
装置の状態（ジョブの状態を含む）の通知をマークアップ言語で記述した一連のスクリプ
トとして送受する。これにより、テキストベースで読み易い制御コマンド、その応答、装
置の状態通知などを送受でき、複数ベンダに対する互換性を維持しつつ、規定後にプロト
コルを修正し易くすることができる。
【０１７１】
さらに、上記実施の形態１によれば、通信制御部１２，２２が、マークアップ言語で記
述した一連のスクリプトとして、画像出力の対象となる画像データを含まず、画像出力に
係る制御情報のみを含むスクリプトを送受する。これにより、画像出力の対象となるデー
タの形式を既存のものから変更することなく、画像出力の対象となるデータから独立して
マークアップ言語による制御情報を送受することができる。
【０１７２】
さらに、上記実施の形態１によれば、画像出力装置１が、画像を出力する出力機構１４
と、画像データから出力機構を制御するための制御データを生成しその制御データに基づ
いて出力機構を制御する出力制御部１３とを備える。これにより、画像供給装置２には、
画像データから出力機構を制御する制御データを生成する機能（パーソナルコンピュータ
などで使用される従来のプリンタドライバに含まれる機能）がなくてもよく、画像供給装
置２を安価にすることができる。
【０１７３】
さらに、上記実施の形態１によれば、画像出力装置１のＸＭＬパーサ６３を、マークア
ップ言語のタグのうち、画像出力に係る制御情報の記述に必要なタグのみを判別するよう
にした場合には、ＸＭＬパーサ６３を小規模な回路やプログラムで実現でき、画像出力装
置１を安価にすることができる。
【０１７４】
さらに、上記実施の形態１によれば、画像供給装置２のＸＭＬパーサ９３を、マークア
ップ言語のタグのうち、画像出力に係る制御情報の記述に必要なタグのみを判別するよう
にした場合には、ＸＭＬパーサ９３を小規模な回路やプログラムで実現でき、画像供給装
置２を安価にすることができる。
【０１７５】
さらに、上記実施の形態１によれば、通信制御部１２，２２が、スクリプトのテンプレ
ートを制御情報の種類ごとに格納し、そのテンプレートから制御情報のスクリプトを生成
する。これにより、テンプレートで確定していない部分のみを編集すればよいため、短時
間で制御情報のスクリプトを生成することができる。
【０１７６】
さらに、上記実施の形態１によれば、画像供給装置２の通信制御部２２および通信回路
２１は、操作部２５に対して所定の操作があると、画像出力ジョブ開始コマンドを制御情
報として画像出力装置１に送信する。画像出力装置１の出力制御部１３は、通信制御部１
２および通信回路１１により画像出力ジョブ開始コマンドが受信されると、その画像出力
ジョブ開始コマンドに従って画像出力の処理を開始する。これにより、ユーザが画像供給
装置２の操作部２５を操作することで画像出力を行わせることができるため、画像供給装
置２がユーザフレンドリな操作部２５を有している場合にその操作部２５により操作性が
向上する。
【０１７７】
さらに、上記実施の形態１によれば、画像出力装置１の通信制御部１２は、画像出力の
処理において、画像供給装置２に格納された画像データが必要になると、その画像データ
の転送要求を画像供給装置２に送信する。画像供給装置２の通信制御部２２は、その画像
データの転送要求を受信すると、その画像データを画像出力装置１に送信する。これによ
り、画像供給装置２は画像出力装置１からの要求に応じて画像データを送信すればよいた
め、画像供給装置２の情報処理量がほとんど増加せず、画像供給装置２の情報処理性能が
低くても本システムを実現することができる。
【０１７８】
実施の形態２．
本発明の実施の形態２に係る画像出力システムでは、画像供給装置２が、画像データお
よび画像出力ジョブを指定するジョブ指定ファイルを格納し、画像出力装置１が、そのジ
ョブ指定ファイルを取得し、そのジョブ指定ファイルの情報に基づいて、マークアップ言
語で記述した画像出力に係る制御情報を生成する。
【０１７９】
実施の形態２では、画像データおよびジョブ指定ファイルが、ＤＰＯＦ（Digital Prin
t Order Format）方式で記録媒体２４に格納される。ＤＰＯＦ規格は、現在ＤＰＯＦ１．
１０のバージョンであるが、将来提案される次バージョン以降のものであってもよい。ま
た、同等の作用を得られる他の規格のものをＤＰＯＦの代わりに使用してもよい。
【０１８０】
図１１は、ＤＰＯＦ方式のディレクトリ構造を説明する図である。ＤＰＯＦ方式のディ
レクトリ構造では、ルートの下位ディレクトリとして、画像データファイルの上位となる
ディレクトリＤＣＩＭおよびジョブ指定ファイルの上位となるディレクトリＭＩＳＣがあ
る。ディレクトリＤＣＩＭの下位には、ベンダ固有のディレクトリ（ここでは、１００Ｅ
ＰＳＯＮ）が設けられ、その中に画像データファイル（ここでは、ＩＭＡＧＥ０１．ＪＰ
Ｇなど）がある。一方、ディレクトリＭＩＳＣには、印刷ジョブの指定ファイルであるＡ
ＵＴＰＲＩＮＴ．ＭＲＫがある。ＤＰＯＦ方式のジョブ指定ファイルＡＵＴＰＲＩＮＴ．
ＭＲＫには、プリントジョブ情報、画像ソース情報、印刷設定情報などが含まれている。
【０１８１】
図１２は、ＤＰＯＦ方式のジョブ指定ファイルＡＵＴＰＲＩＮＴ．ＭＲＫの一例を示す
図である。図１２に示すＡＵＴＰＲＩＮＴ．ＭＲＫには、３つのジョブが含まれており、
それぞれのジョブに対して、ジョブＩＤ（ＰＲＴ  ＰＩＤ）、印刷種類（ＰＲＴ  ＴＹＰ
）、印刷部数（ＰＲＴ  ＱＴＹ）、画像データの格納場所（ＩＭＧ  ＳＲＣ）、および画
像データのフォーマット（ＩＭＧ  ＦＭＴ）が指定されている。
【０１８２】
なお、実施の形態２における画像出力装置１および画像供給装置２の基本的な構成は、
実施の形態１の場合と同様である。ただし、実施の形態２における通信制御部１２および
通信制御部２２の動作は、以下に説明するように変更される。
【０１８３】
次に、上記システムの各装置の動作について説明する。図１３は、実施の形態２に係る
画像出力システムにおける、ＤＰＳプロトコルレベルでの画像出力処理を説明する図であ
る。図１４は、実施の形態２に係る画像出力システムにおける、画像転送プロトコルレベ
ルでの画像出力処理を説明する図である。
【０１８４】
まず、例えば操作部２５に対して所定の操作があると、画像供給装置２が、通信路３を
介して画像出力装置１へ、画像出力ジョブ開始コマンドを送信する（ステップＳ２１）。
【０１８５】
その際、画像供給装置２では、通信制御部２２が、画像出力ジョブ開始コマンドＤＰＳ
＿ＳｔａｒｔＪｏｂのＸＭＬスクリプトを生成し、送信する。ここでは、このＸＭＬスク
リプト内で、ジョブ指定ファイルを使用することが記述される。すなわち、例えば図９に
示すようなスクリプトにおいて、画像データを指定するｉｍａｇｅＩＤタグでジョブ指定
ファイルが指定される。その指定には、ジョブ指定ファイルのオブジェクトＩＤが使用さ
れる。
【０１８６】
この画像出力ジョブ開始コマンドＤＰＳ＿ＳｔａｒｔＪｏｂのＸＭＬスクリプトのつい
ての画像供給装置２から画像出力装置１への伝送の際の通信処理は、実施の形態１におけ
るステップＳ１の場合と同様であるので、その説明を省略する。
【０１８７】
次に、画像出力装置１は、取得したＸＭＬスクリプトを解釈し（ステップＳ２２）、そ
のＸＭＬスクリプトに記述されたジョブ指定ファイルを画像供給装置２から取得する（ス
テップＳ２３）。
【０１８８】
その際、画像出力装置１では、通信制御部１２が、ＤＰＳプロトコルに従って、ＸＭＬ
スクリプト内に記載されたオブジェクトＩＤ（ＰＴＰにおけるオブジェクトＩＤに対応）
でジョブ指定ファイルを指定してＸＭＬスクリプトのファイル情報取得コマンドＤＰＳ＿
ＧｅｔＦｉｌｅＩｎｆｏを送信する。通信制御部１２は、そのＤＰＳプロトコルのファイ
ル情報取得コマンドＤＰＳ＿ＧｅｔＦｉｌｅＩｎｆｏを、画像転送プロトコルのファイル
情報取得コマンドＧｅｔＯｂｊｅｃｔＩｎｆｏに変換し、送信する（ステップＳＳ１１）
。このコマンドは、ＵＳＢ層および物理層を介して画像供給装置２に伝送される。
【０１８９】
画像供給装置２では、通信制御部２２が、画像転送プロトコルに従って、コマンドＧｅ
ｔＯｂｊｅｃｔＩｎｆｏを受信すると、指定されたオブジェクトＩＤのファイルのファイ
ル情報を送信する（ステップＳＳ１２）。このファイル情報は、ＵＳＢ層および物理層を
介して画像出力装置１に伝送される。
【０１９０】
画像出力装置１では、通信制御部１２が、画像転送プロトコルに従ってそのファイル情
報を受信すると、そのファイル情報をＸＭＬスクリプトとして記述し、ＤＰＳプロトコル
層に渡す。
【０１９１】
次に、画像出力装置１では、通信制御部１２が、ＤＰＳプロトコルに従って、オブジェ
クトＩＤでジョブ指定ファイルを指定してＸＭＬスクリプトのファイル取得コマンドＤＰ
Ｓ＿ＧｅｔＦｉｌｅを発行する。通信制御部１２は、そのＤＰＳプロトコルのファイル取
得コマンドＤＰＳ＿ＧｅｔＦｉｌｅを、画像転送プロトコルのファイル取得コマンドＧｅ
ｔＯｂｊｅｃｔに変換し、送信する（ステップＳＳ１３）。このコマンドは、ＵＳＢ層お
よび物理層を介して画像供給装置２に伝送される。
【０１９２】
画像供給装置２では、通信制御部２２が、画像転送プロトコルに従って、コマンドＧｅ
ｔＯｂｊｅｃｔを受信すると、指定されたオブジェクトＩＤのファイル（ジョブ指定ファ
イル）を読み出し、送信する（ステップＳＳ１４）。このファイルは、ＵＳＢ層および物
理層を介して画像出力装置１に伝送される。
【０１９３】
画像出力装置１では、通信制御部１２が、画像転送プロトコルに従ってそのファイルを
受信すると、ＤＰＳプロトコル層においてもそのファイルを受信したこととなる。
【０１９４】
ここで、画像出力装置１が図３および図４に示すプリンタであり、かつ画像供給装置２
が図５および図６に示すデジタルカメラである場合、このジョブ指定ファイルの取得には
、画像出力装置１におけるＤＰＳプロトコル処理機能５２および通信制御機能５１、並び
に、画像供給装置２における通信制御機能８１およびファイルシステム管理機能８３が使
用される。
【０１９５】
そして、画像出力装置１の通信制御部１２は、ジョブ指定ファイルを取得すると、その
ジョブ指定ファイルを解釈する（ステップＳ２４）。
【０１９６】
画像出力装置１の通信制御部１２は、そのジョブ指定ファイルに記述された各ジョブに
おいて指定された画像データを画像供給装置２から取得する（ステップＳ２５）。
【０１９７】
その際、まず、ＤＰＯＦ方式のジョブ指定ファイルＡＵＴＰＲＩＮＴ．ＭＲＫでは、画
像データファイルの格納場所が相対パスで記述されているため、その画像データのオブジ
ェクトＩＤを取得するために、画像出力装置１では、通信制御部１２が、ＤＰＳプロトコ
ルに従って、パスを指定してそのパスのファイルのオブジェクトＩＤを取得するためのコ
マンドＤＰＳ＿ＧｅｔＯｂｊｅｃｔＩＤをＸＭＬスクリプトとして生成し、送信する。
【０１９８】
図１５は、実施の形態２において使用されるオブジェクトＩＤ取得コマンドＤＰＳ＿Ｇ
ｅｔＯｂｊｅｃｔＩＤのＸＭＬスクリプトの一例を示す図である。図１５において、ｇｅ
ｔＯｂｊｅｃｔＩＤＲｅｑｕｅｓｔタグは、オブジェクトＩＤ取得コマンドであることを
示すタグである。図１５においては、ｇｅｔＯｂｊｅｃｔＩＤＲｅｑｕｅｓｔタグの下位
に、ｂａｓｅＰａｔｈＩＤタグおよびｉｍａｇｅＰａｔｈタグが配置される。ｂａｓｅＰ
ａｔｈＩＤタグは、ｉｍａｇｅＰａｔｈタグで指定する相対パスの基礎となるディレクト
リを指定するためのタグである。ｉｍａｇｅＰａｔｈタグは、オブジェクトＩＤを取得す
る対象となるファイルを、ｂａｓｅＰａｔｈＩＤタグで指定されたディレクトリからの相
対パスで指定するためのタグである。
【０１９９】
画像出力装置１の通信制御部１２は、ＤＰＳプロトコル層でのコマンドＤＰＳ＿Ｇｅｔ
ＯｂｊｅｃｔＩＤの発行を受けて、画像転送プロトコルに従って、コマンドＳｅｎｄＯｂ
ｊｅｃｔＩｎｆｏとＸＭＬスクリプトのファイル情報、およびコマンドＳｅｎｄＯｂｊｅ
ｃｔとＸＭＬスクリプトを送信する（ステップＳＳ２１〜ＳＳ２４）。これらのコマンド
、ファイル情報およびＸＭＬスクリプトは、ＵＳＢ層および物理層を介して画像供給装置
２に伝送される。
【０２００】
画像供給装置２では、通信制御部２２は、画像転送プロトコルに従って、それらのコマ
ンド、ファイル情報およびＸＭＬスクリプトを受信し、ＤＰＳプロトコルに従って、ＸＭ
ＬスクリプトであるコマンドＤＰＳ＿ＧｅｔＯｂｊｅｃｔＩＤを受信する。
【０２０１】
画像供給装置２の通信制御部２２は、ＤＰＳプロトコルに従って、受信したコマンドＤ
ＰＳ＿ＧｅｔＯｂｊｅｃｔＩＤのＸＭＬスクリプトを解釈し、コマンドＤＰＳ＿ＧｅｔＯ
ｂｊｅｃｔＩＤで指定されたパスのファイルに割り当てられているオブジェクトＩＤを特
定し、コマンドＤＰＳ＿ＧｅｔＯｂｊｅｃｔＩＤに対する応答として、そのオブジェクト
ＩＤを示すＸＭＬスクリプトを生成し、送信する。
【０２０２】
図１６は、実施の形態２において使用されるオブジェクトＩＤ取得コマンドＤＰＳ＿Ｇ
ｅｔＯｂｊｅｃｔＩＤの応答のＸＭＬスクリプトの一例を示す図である。図１６において
、ｏｐＲｅｓｕｌｔタグは、オブジェクトＩＤ取得コマンドの処理結果コードを指定する
ためのタグである。また、ｇｅｔＯｂｊｅｃｔＩＤＲｅｓｐｏｎｓｅタグは、オブジェク
トＩＤ取得コマンドの処理結果の戻り値を指定するためのタグである。図１６においては
、ｇｅｔＯｂｊｅｃｔＩＤＲｅｓｐｏｎｓｅタグの下位に、ｂａｓｅＰａｔｈＩＤタグ、
ｉｍａｇｅＰａｔｈタグおよびｉｍａｇｅＩＤタグが配置される。ｂａｓｅＰａｔｈＩＤ
タグおよびｉｍａｇｅＰａｔｈタグは、コマンド内で指定されたものと同一であり、ｉｍ
ａｇｅＩＤタグは、コマンドの処理結果として得られたオブジェクトＩＤを指定するため
のタグである。
【０２０３】
画像供給装置２の通信制御部２２は、ＤＰＳプロトコル層でのコマンドＤＰＳ＿Ｇｅｔ
ＯｂｊｅｃｔＩＤへの応答を受けて、画像転送プロトコルに従って、まず、ファイル転送
要求コマンドＲｅｑｕｅｓｔＯｂｊｅｃｔＴｒａｎｓｆｅｒを送信する（ステップＳＳ３
１）。このコマンドは、ＵＳＢ層および物理層を介して画像出力装置１に伝送される。
【０２０４】
画像出力装置１では、通信制御部１２が、画像転送プロトコルに従って、ファイル転送
要求コマンドＲｅｑｕｅｓｔＯｂｊｅｃｔＴｒａｎｓｆｅｒを受信すると、転送するファ
イルの属性を問い合わせるコマンドＧｅｔＯｂｊｅｃｔＩｎｆｏを送信する（ステップＳ
Ｓ３２）。このコマンドは、ＵＳＢ層および物理層を介して画像供給装置２に伝送される
。
【０２０５】
画像供給装置２では、通信制御部２２が、画像転送プロトコルに従って、コマンドＧｅ
ｔＯｂｊｅｃｔＩｎｆｏを受信すると、コマンドＤＰＳ＿ＧｅｔＯｂｊｅｃｔＩＤへの応
答のＸＭＬスクリプトのファイル情報を送信する（ステップＳＳ３３）。このファイル情
報は、ＵＳＢ層および物理層を介して画像出力装置１に伝送される。
【０２０６】
画像出力装置１では、通信制御部１２が、画像転送プロトコルに従って、そのファイル
情報を受信すると、その応答のＸＭＬスクリプトを指定してファイル取得コマンドＧｅｔ
Ｏｂｊｅｃｔを送信する（ステップＳＳ３４）。このファイル情報は、ＵＳＢ層および物
理層を介して画像供給装置２に伝送される。
【０２０７】
画像供給装置２では、通信制御部２２が、画像転送プロトコルに従って、コマンドＧｅ
ｔＯｂｊｅｃｔを受信すると、指定されたファイル（コマンドＤＰＳ＿ＧｅｔＯｂｊｅｃ
ｔＩＤへの応答のＸＭＬスクリプト）を送信する（ステップＳＳ３５）。このファイルは
、ＵＳＢ層および物理層を介して画像出力装置１に伝送される。
【０２０８】
画像出力装置１では、通信制御部１２が、画像転送プロトコルに従ってそのファイルを
受信すると、ＤＰＳプロトコル層においてコマンドＤＰＳ＿ＧｅｔＯｂｊｅｃｔＩＤに対
する応答を受信したこととなる。
【０２０９】
このようにして、画像出力装置１は、ジョブ指定ファイルにおいて指定された画像デー
タファイルのオブジェクトＩＤを取得する。
【０２１０】
そして、画像出力装置１では、通信制御部１２が、ＤＰＳプロトコルに従って、取得し
たオブジェクトＩＤで画像データファイルを指定してＸＭＬスクリプトのファイル情報取
得コマンドＤＰＳ＿ＧｅｔＦｉｌｅＩｎｆｏを送信する。
【０２１１】
図１７は、実施の形態２において使用されるファイル情報取得コマンドＤＰＳ＿Ｇｅｔ
ＦｉｌｅＩｎｆｏのＸＭＬスクリプトの一例を示す図である。図１７において、ｇｅｔＦ
ｉｌｅＩｎｆｏＲｅｑｕｅｓｔタグは、ファイル情報取得コマンドであることを示すタグ
である。図１７においては、ｇｅｔＦｉｌｅＩｎｆｏＲｅｑｕｅｓｔタグの下位に、ｆｉ
ｌｅＩＤタグが配置される。ｆｉｌｅＩＤタグは、ファイル情報取得の対象のファイルの
オブジェクトＩＤを指定するためのタグである。
【０２１２】
画像出力装置１の通信制御部１２は、そのＤＰＳプロトコルのファイル情報取得コマン
ドＤＰＳ＿ＧｅｔＦｉｌｅＩｎｆｏを、画像転送プロトコルのファイル情報取得コマンド
ＧｅｔＯｂｊｅｃｔＩｎｆｏに変換し、送信する。このコマンドは、ＵＳＢ層および物理
層を介して画像供給装置２に伝送される。
【０２１３】
画像供給装置２では、通信制御部２２が、画像転送プロトコルに従って、コマンドＧｅ
ｔＯｂｊｅｃｔＩｎｆｏを受信すると、指定されたオブジェクトＩＤのファイルのファイ
ル情報を送信する。このファイル情報は、ＵＳＢ層および物理層を介して画像出力装置１
に伝送される。
【０２１４】
画像出力装置１では、通信制御部１２が、画像転送プロトコルに従ってそのファイル情
報を受信すると、そのファイル情報をＸＭＬスクリプトとして記述し、ＤＰＳプロトコル
層に渡す。
【０２１５】
図１８は、実施の形態２において使用されるファイル情報取得コマンドＤＰＳ＿Ｇｅｔ
ＦｉｌｅＩｎｆｏの応答のＸＭＬスクリプトの一例を示す図である。図１８において、ｏ
ｐＲｅｓｕｌｔタグは、オブジェクトＩＤ取得コマンドの処理結果コードを指定するため
のタグである。また、ｇｅｔＦｉｌｅＩｎｆｏＲｅｓｐｏｎｓｅタグは、ファイル情報取
得コマンドの処理結果の戻り値を指定するためのタグである。図１８においては、ｇｅｔ
ＦｉｌｅＩｎｆｏＲｅｓｐｏｎｓｅタグの下位に、ｆｉｌｅＴｙｐｅタグおよびｆｉｌｅ
Ｓｉｚｅタグが配置される。ｆｉｌｅＴｙｐｅタグは、ファイル情報のうちのファイルの
形式を指定するためのタグである。ｆｉｌｅＳｉｚｅタグは、ファイル情報のうちのファ
イルサイズを指定するためのタグである。なお、ファイル形式は、各形式に予め割り当て
られている番号により指定される。
【０２１６】
次に、画像出力装置１では、通信制御部１２が、ＤＰＳプロトコルに従って、取得した
オブジェクトＩＤで画像データファイルを指定してＸＭＬスクリプトのファイル取得コマ
ンドＤＰＳ＿ＧｅｔＦｉｌｅを送信する。通信制御部１２は、そのＤＰＳプロトコルのフ
ァイル取得コマンドＤＰＳ＿ＧｅｔＦｉｌｅを、画像転送プロトコルのファイル取得コマ
ンドＧｅｔＯｂｊｅｃｔに変換し、送信する。このコマンドは、ＵＳＢ層および物理層を
介して画像供給装置２に伝送される。
【０２１７】
なお、ファイル全体を取得するファイル取得コマンドＤＰＳ＿ＧｅｔＦｉｌｅの代わり
に、ファイルの一部を取得するファイル部分取得コマンドＤＰＳ＿ＧｅｔＰａｒｔｉａｌ
Ｆｉｌｅを複数回送信してファイル全体を取得するようにしてもよい。このファイル部分
取得コマンドＤＰＳ＿ＧｅｔＰａｒｔｉａｌＦｉｌｅは、画像転送プロトコルのコマンド
ＧｅｔＰａｒｔｉａｌＯｂｊｅｃｔに変換される。
【０２１８】
画像供給装置２では、通信制御部２２が、画像転送プロトコルに従って、コマンドＧｅ
ｔＯｂｊｅｃｔを受信すると、指定されたオブジェクトＩＤのファイル（画像データファ
イル３１）を読み出し、送信する。このファイルは、ＵＳＢ層および物理層を介して画像
出力装置１に伝送される。
【０２１９】
画像出力装置１では、通信制御部１２が、画像転送プロトコルに従ってそのファイルを
受信すると、ＤＰＳプロトコル層においてもそのファイルを受信したこととなる。
【０２２０】
ここで、画像出力装置１が図３および図４に示すプリンタであり、かつ画像供給装置２
が図５および図６に示すデジタルカメラである場合、この画像データの取得には、画像出
力装置１におけるＤＰＳプロトコル処理機能５２および通信制御機能５１、並びに、画像
供給装置２における通信制御機能８１およびファイルシステム管理機能８３が使用される
。
【０２２１】
そして、画像出力装置１は、画像データを取得すると、その画像データに基づく画像を
出力する（ステップＳ２６）。その際、画像出力装置１では、出力制御部１３および出力
機構１４が、画像出力処理を行う。
【０２２２】
ここで、画像出力装置１が図３および図４に示すプリンタである場合、画像出力処理に
は、画像処理機能５３、印刷データ生成機能５４および印刷制御機能５５が使用される。
【０２２３】
このように、この実施の形態２では、画像供給装置２に格納されたジョブ指定ファイル
が画像出力装置１に転送され、画像出力装置１がジョブ指定ファイルを解釈し、ジョブを
実行する。また、他の実施例として、画像供給装置２が、ジョブ指定ファイルを解釈し、
そのジョブ指定ファイルの内容に従ってジョブ開始コマンドを生成し、画像出力装置１に
送信し、画像出力装置１が、そのジョブ開始コマンドを解釈してジョブを実行するように
してもよい。
【０２２４】
なお、この実施の形態２に係る画像出力システムは、他の実施の形態のいずれとも組み
合わせ可能である。
【０２２５】
以上のように、上記実施の形態２によれば、画像供給装置２が、画像データおよび画像
出力ジョブを指定するジョブ指定ファイル（ここでは、ＤＰＯＦのＡＵＴＰＲＩＮＴ．Ｍ
ＲＫファイル）を格納し、画像出力装置１が、そのジョブ指定ファイルを取得し、指示さ
れたジョブを解釈し、そのジョブ指定ファイルの情報に基づいて、マークアップ言語で記
述した画像出力に係る制御情報を生成する。これにより、ＤＰＯＦ方式などの既存のジョ
ブ指定ファイルを使用でき、簡単に複雑な画像出力ジョブを実行することができる。
【０２２６】
さらに、上記実施の形態２によれば、画像供給装置２は、画像出力対象の１または複数
の画像データおよびジョブ指定ファイルのいずれか一方を画像出力ジョブ開始コマンドに
おいて指定することができる。画像出力装置１は、画像出力ジョブ開始コマンドにおいて
画像データが指定された場合には、その画像出力ジョブ開始コマンドに従って画像供給装
置２からその画像データを取得し、画像出力ジョブ開始コマンドにおいてジョブ指定ファ
イルが指定された場合には、その画像出力ジョブ開始コマンドに従って画像供給装置２か
らそのジョブ指定ファイルを取得し、そのジョブ指定ファイルにおいて指定された画像デ
ータを画像供給装置２から取得する。これにより、画像データごとに、あるいはジョブ指
定ファイルで纏めて、画像出力の対象となる画像データを指定することができ、様々なパ
ターンの画像出力ジョブを行うことができる。
【０２２７】
実施の形態３．
本発明の実施の形態３に係る画像出力システムは、上記実施の形態１または上記実施の
形態２に係る画像出力システムにおいて自律復旧できない障害（例えば紙ジャム、電源断
、通信路切断など）から復旧した際のリカバリ処理を行うようにしたものである。
【０２２８】
この実施の形態３に係る画像出力システムでは、画像出力装置１が、画像出力としての
印刷処理におけるページレイアウト内の所定位置（最初、最後など）に割り当てられた印
刷対象を示す再開情報を画像供給装置２に送信し、障害により印刷処理が中止された後に
、印刷処理を新たに開始させる印刷ジョブ開始コマンドとともに、再開時の最初の印刷対
象を指定する制御情報を画像供給装置２から受信し、その印刷対象から印刷処理を再開す
る。その一方で、画像供給装置２が、その再開情報を受信して記憶しておき、印刷処理を
再開する場合に、印刷処理を新たに開始させる印刷ジョブ開始コマンドとともに、最後に
記憶した再開情報に基づいて再開時の最初の印刷対象を指定する制御情報を画像出力装置
１へ送信する。
【０２２９】
なお、実施の形態３における画像出力装置１および画像供給装置２の基本的な構成は、
実施の形態１の場合と同様であるが、下記の機能が追加される。
【０２３０】
次に、上記システムにおける各装置の動作について説明する。
【０２３１】
図１９は、実施の形態３に係る画像出力システムにおける画像出力装置についての状態
遷移図である。
【０２３２】
画像出力装置１は、印刷ジョブがないと、ジョブなし状態（すなわち、アイドル状態）
にあり、画像供給装置２から印刷ジョブを供給されると、印刷状態に移行し、印刷処理を
行う。そして、印刷ジョブが終了し、後続の印刷ジョブがないと、画像出力装置１は、ジ
ョブなし状態に移行する。なお、この状態の管理は、画像出力装置１の出力制御部１３に
より行われる。
【０２３３】
印刷状態において障害が発生すると、画像出力装置１は、ホールド状態に移行し、印刷
処理を中断する。自律復旧可能な障害の場合には、障害がなくなると、画像出力装置１は
、印刷状態に戻り、中断した印刷処理を再開する。一方、紙ジャム、通信路切断などの自
律復旧不能な障害の場合には、画像出力装置１は、リセット指令があるまでホールド状態
のままとなり、リセット指令があると、中断した印刷ジョブを廃棄して、ジョブなし状態
に移行する。その時に残りの印刷ジョブがある場合やその後に新たな印刷ジョブが発生し
た場合には、画像出力装置１は、印刷状態に移行する。
【０２３４】
また、画像出力装置１の電源が断たれた場合、画像出力装置１における印刷ジョブが消
失するので、その後、電源が投入された場合には、画像出力装置１は、ジョブなし状態と
なる。
【０２３５】
次に、リカバリ処理について説明する。なお、リカバリ処理の手順は、下記に示すよう
に、障害の種類などに応じて、複数種類のいずれかとすることができる。
【０２３６】
まず、紙ジャム、通信路切断、電源の正常断、電源の異常断などの自律復旧不能な障害
が発生した場合のリカバリ処理の一例について説明する。図２０は、実施の形態３に係る
画像出力システムの正常時の印刷処理において行われる、リカバリのための処理を説明す
るフローチャートである。図２１は、実施の形態３に係る画像出力システムのリカバリ処
理の一例について説明するフローチャートである。
【０２３７】
まず、印刷状態において、画像出力装置１は、印刷処理を実行するが、その際、あるペ
ージから次ページへの切り換わりを検出すると（ステップＳ１０１）、切換後のページ最
初でのジョブ状態情報を画像供給装置２に送信する。すなわち、画像出力装置１は、切換
後のページのページレイアウトの最初に使用される画像データを指定している印刷ジョブ
のジョブＩＤ（ＤＰＯＦの「ＰＲＴ  ＰＩＤ」の値に相当するもの）、その画像データの
格納場所のパス（ＤＰＯＦの「ＩＭＧ  ＳＲＣ」の値に相当するもの）、および繰り返し
供給回数（ＤＰＯＦの「ＰＲＴ  ＱＴＹ」の値に相当するもの）を再開情報（リカバリ処
理で使用されるジョブ状態情報）として画像供給装置２に送信する（ステップＳ１０２）
。
【０２３８】
この実施の形態３では、画像出力装置１の通信制御部１２が、ページの切り換わりが発
生すると、ＤＰＳプロトコルに従って、その時点でのジョブ状態情報を通知するジョブ状
態通知コマンドＤＰＳ＿ＮｏｔｉｆｙＪｏｂＳｔａｔｕｓのＸＭＬスクリプトを生成し、
送信する。コマンドＤＰＳ＿ＮｏｔｉｆｙＪｏｂＳｔａｔｕｓのＸＭＬスクリプトでは、
ジョブＩＤを示すタグ＜ｐｒｔＰｉｄ＞，＜／ｐｒｔＰｉｄ＞でジョブＩＤの値が囲まれ
、画像データの格納場所のパスを示すタグ＜ｉｍａｇｅＰａｔｈ＞，＜／ｉｍａｇｅＰａ
ｔｈ＞で画像データの格納場所のパスの値が囲まれ、繰り返し供給回数を示すタグ＜ｃｏ
ｐｙＩｄ＞，＜／ｃｏｐｙＩｄ＞で繰り返し供給回数の値が囲まれる。
【０２３９】
図２２は、実施の形態３において使用されるジョブ状態通知コマンドＤＰＳ＿Ｎｏｔｉ
ｆｙＪｏｂＳｔａｔｕｓのＸＭＬスクリプトの一例を示す図である。図２２において、ｎ
ｏｔｉｆｙＪｏｂＳｔａｔｕｓＲｅｑｕｅｓｔタグは、ジョブ状態通知コマンドであるこ
とを示すタグである。図２２においては、ｎｏｔｉｆｙＪｏｂＳｔａｔｕｓＲｅｑｕｅｓ
ｔタグの下位に、ｊＳｔａｔｕｓタグ、ｐｒｔＰｉｄタグ、ｉｍａｇｅＰａｔｈタグ、ｃ
ｏｐｙＩｄタグ、ｐｒｏｇｒｅｓｓタグおよびｊＥｎｄＲｅａｓｏｎタグが配置される。
【０２４０】
なお、ジョブ指定ファイルが使用される場合には、ｐｒｔＰｉｄタグ、ｉｍａｇｅＰａ
ｔｈタグおよびｃｏｐｙＩｄタグで指定される値には、画像出力装置１により取得された
ＤＰＯＦのジョブ指定ファイルＡＵＴＰＲＩＮＴ．ＭＲＫにおける値が使用され、その時
点で処理中のジョブのジョブＩＤ、画像データのパスおよび繰り返し供給回数の値が設定
される。
【０２４１】
また、ｊＳｔａｔｕｓタグは、ジョブの状態が印刷状態、ジョブなし状態およびホール
ド状態のいずれであるかを指定するためのタグである。ｐｒｏｇｒｅｓｓタグは、ジョブ
における全ページ数Ｔと、印刷中のページ番号ＮとをＮ／Ｔの書式で指定するためのタグ
である。ｊＥｎｄＲｅａｓｏｎタグは、正常終了、ユーザ操作による終了、異常終了など
の、ジョブが終了した原因を示す値を指定するためのタグである。なお、ジョブなし状態
にある場合に、ｊＥｎｄＲｅａｓｏｎタグにより値が指定される。
【０２４２】
なお、図２２に示すスクリプトでは、ｐｒｔＰｉｄタグ、ｉｍａｇｅＰａｔｈタグおよ
びｃｏｐｙＩｄタグにより、ジョブＩＤ、イメージパスおよび繰り返し供給回数が指定さ
れるが、その代わりに、ジョブ指定ファイルが使用されない場合には、ジョブ開始コマン
ドにおけるｉｍａｇｅＩＤタグで指定された画像データおよびｃｏｐｉｅｓタグで指定さ
れた繰り返し供給回数が、ジョブ状態通知コマンドにおいて使用されるようにしてもよい
。
【０２４３】
一方、画像供給装置２は、画像出力装置１から、ページの切り換わりごとに、ジョブＩ
Ｄ、ページ最初の画像データの格納場所のパス、その画像データの繰り返し供給回数など
といった再開情報を受信すると（ステップＳ１１１）、それらを記憶し、画像出力装置１
から通知された最新の再開情報を保持する（ステップＳ１１２）。
【０２４４】
この実施の形態３では、画像供給装置２の通信制御部２２が、ＤＰＳプロトコルに従っ
て、ページごとに、コマンドＤＰＳ＿ＮｏｔｉｆｙＪｏｂＳｔａｔｕｓであるＸＭＬスク
リプトを受信し、そのＸＭＬスクリプトから、ジョブＩＤ、画像データの格納場所のパス
、および画像データの繰り返し供給回数を抽出し、記憶する。
【０２４５】
このようにして、画像供給装置２は、印刷処理が開始されたページごとに、所定の位置
（ここでは最初）の画像データを指定している印刷ジョブのジョブＩＤ、その画像データ
の格納場所のパス、その画像データの繰り返し供給回数などといった再開情報を順次記憶
していく。なお、ジョブＩＤ、その画像データの格納場所のパス、およびその画像データ
の繰り返し供給回数は、最新のものだけあればよいので、古いものは消去してもよい。
【０２４６】
そして、印刷状態において、紙ジャム、電源オフ操作などの自律復旧不能な障害が発生
した場合（ステップＳ１２１）、画像出力装置１は、ホールド状態に移行し、障害発生を
画像供給装置２に通知する（ステップＳ１２２）。なお、電源がオフ操作により正常断さ
れた場合には、画像出力装置１は、バッテリやキャパシタの電力を使用して、この通知を
行う。
【０２４７】
この実施の形態３では、画像出力装置１の通信制御部１２が、障害が発生すると、ＤＰ
Ｓプロトコルに従って、装置の状態を通知するコマンドＤＰＳ＿ＮｏｔｉｆｙＤｅｖｉｃ
ｅＳｔａｔｕｓのＸＭＬスクリプトを生成し、送信する。コマンドＤＰＳ＿Ｎｏｔｉｆｙ
ＤｅｖｉｃｅＳｔａｔｕｓのＸＭＬスクリプトでは、障害の状態を示すタグ＜ｅｒｒｏｒ
Ｓｔａｔｕｓ＞，＜／ｅｒｒｏｒＳｔａｔｕｓ＞で障害状態を示す値が囲まれ、障害の原
因を示すタグ＜ｒｅａｓｏｎ＞，＜／ｒｅａｓｏｎ＞で障害原因を示す値が囲まれる。
【０２４８】
図２３は、実施の形態３において使用されるデバイス状態通知コマンドＤＰＳ＿Ｎｏｔ
ｉｆｙＤｅｖｉｃｅＳｔａｔｕｓのＸＭＬスクリプトの一例を示す図である。図２３にお
いて、ｎｏｔｉｆｙＤｅｖｉｃｅＳｔａｔｕｓＲｅｑｕｅｓｔタグは、デバイス状態通知
コマンドであることを示すタグである。図２３においては、ｎｏｔｉｆｙＤｅｖｉｃｅＳ
ｔａｔｕｓＲｅｑｕｅｓｔタグの下位に、ｅｒｒｏｒＳｔａｔｕｓタグ、ｒｅａｓｏｎタ
グ、ｄｉｓｃｏｎｎｅｃｔＥｎａｂｌｅタグおよびｃａｐａｂｉｌｉｔｙＣｈａｎｇｅタ
グが配置される。
【０２４９】
ｅｒｒｏｒＳｔａｔｕｓタグは、障害なし、復旧可能障害、復旧不能障害などの障害状
態を指定するためのタグである。ｒｅａｓｏｎタグは、障害なし、用紙関係の障害、イン
ク関係の障害、ハードウェア関係の障害、データ関係の障害などといった障害の原因を指
定するためのタグである。ｄｉｓｃｏｎｎｅｃｔＥｎａｂｌｅタグは、接続を解除してよ
いか否かを指定するためのタグである。ｃａｐａｂｉｌｉｔｙＣｈａｎｇｅタグは、画像
出力装置１で許容される印刷条件に変更があったか否かを指定するためのタグである。
【０２５０】
画像供給装置２は、画像出力装置１から、障害発生の通知を受信すると（ステップＳ１
３１）、画像出力装置１から通知された最新の再開情報（ジョブＩＤ、ページ最初の画像
データの格納場所のパス、その画像データの繰り返し供給回数など）を読み出す（ステッ
プＳ１３２）。
【０２５１】
この実施の形態３では、画像供給装置２の通信制御部２２が、ＤＰＳプロトコルに従っ
て、上述のコマンドＤＰＳ＿ＮｏｔｉｆｙＤｅｖｉｃｅＳｔａｔｕｓのＸＭＬスクリプト
を受信し、そのＸＭＬスクリプトから障害状態を認識する。
【０２５２】
そして、画像供給装置２は、印刷ジョブ開始時に先に送信した印刷ジョブ開始コマンド
に、最新の再開情報を追加して送信する（ステップＳ１３３）。
【０２５３】
この実施の形態３では、画像供給装置２の通信制御部２２が、ＤＰＳプロトコルに従っ
て、最新のジョブＩＤ、ページ最初の画像データの格納場所のパス、およびその画像デー
タの繰り返し供給回数を設定した上述のコマンドＤＰＳ＿ＳｔａｒｔＪｏｂのＸＭＬスク
リプトを送信する。
【０２５４】
図２４は、実施の形態３において、ジョブ再開時の印刷ジョブ開始コマンドＤＰＳ＿Ｓ
ｔａｒｔＪｏｂのＸＭＬスクリプトの一例を示す図である。図２４に示すように、ジョブ
再開時の印刷ジョブ開始コマンドＤＰＳ＿ＳｔａｒｔＪｏｂでは、ｉｍａｇｅＩＤタグに
より、ジョブ指定ファイルのオブジェクトＩＤ（ここでは、０００００００２）が指定さ
れ、再開位置を示すジョブＩＤ、ページ最初の画像データの格納場所のパスおよびその画
像データの繰り返し供給回数が、ｐｒｔＰｉｄタグ、ｉｍａｇｅＰａｔｈタグおよびｃｏ
ｐｉｅｓタグによりそれぞれ指定される。
【０２５５】
画像出力装置１は、その印刷ジョブ開始コマンドを受信すると（ステップＳ１２４）、
その印刷ジョブ開始コマンドにおいて指定された、先に使用されたジョブ指定ファイルの
送信要求を送信する。
【０２５６】
この実施の形態３では、画像出力装置１の通信制御部１２が、ＤＰＳプロトコルに従っ
て、ＸＭＬスクリプトのジョブ開始コマンドＤＰＳ＿ＳｔａｒｔＪｏｂを受信し、ジョブ
指定ファイルを指定してファイル取得コマンドＤＰＳ＿ＧｅｔＦｉｌｅを発行する。
【０２５７】
そして、画像供給装置２は、そのジョブ指定ファイルの送信要求に応じて、ジョブ指定
ファイルを送信する（ステップＳ１３４）。画像出力装置１は、そのジョブ指定ファイル
を受信する（ステップＳ１２５）。
【０２５８】
この実施の形態３では、画像出力装置１の通信制御部１２が、ＤＰＳプロトコルにおけ
るファイル取得コマンドＤＰＳ＿ＧｅｔＦｉｌｅを発行し、画像供給装置２からジョブ指
定ファイルを取得する。
【０２５９】
画像出力装置１は、ジョブ指定ファイルの内容を参照し、印刷ジョブ開始コマンドによ
り指定されたジョブＩＤ、ページ最初の画像データの格納場所のパス、およびその画像デ
ータの繰り返し供給回数に該当する位置をジョブ指定ファイル内で発見すると、その位置
を印刷ジョブの再開位置と特定する（ステップＳ１２６）。
【０２６０】
そして、画像出力装置１は、その再開位置から印刷ジョブを再開し（ステップＳ１２７
）、必要に応じて画像データを画像供給装置２から取得する（ステップＳ１２７，Ｓ１３
５）。
【０２６１】
これにより、障害発生により中断した印刷ジョブがリセット指令後に再開され、障害が
発生したページの先頭から印刷が再開される。図２５は、実施の形態３に係る画像出力シ
ステムにおける印刷再開を説明する図である。例えば図２５に示すように、画像１０１ａ
，画像１０１ｃの印刷後、途中で画像１０１ｂ，１０１ｄを印刷している時に障害が発生
した場合にも、ページの最初に割り当てられる画像１０１ａについてのジョブＩＤ、パス
および繰り返し供給回数に基づいてジョブ指定ファイル内での印刷再開位置が特定されて
印刷ジョブが再開される。なお、図２５のように１つのページに複数の画像が配置される
場合、印刷ジョブにおける出現順番が最も早い画像についてジョブＩＤなどが記憶され、
その画像から印刷が再開される。
【０２６２】
例えば図１２に示すジョブ指定ファイルで図２５に示すレイアウトとした場合、画像１
０１ａに割り当てられるＩＭＡＧＥ０１．ＪＰＧについてのジョブＩＤ「００１」、パス
「．／ＤＣＩＭ／１００ＥＰＳＯＮ／ＩＭＡＧＥ０１．ＪＰＧ」、繰り返し回数「００２
」が再開情報として記憶される。そして、図２５に示す位置で障害が発生したときには、
図１２の最初のジョブから同一のレイアウトで印刷が再開される。
【０２６３】
なお、画像出力装置１は、印刷対象の繰り返し供給の途中で改ページが発生した場合に
は、画像供給装置２に通知する繰り返し供給回数の値を残りの繰り返し供給回数に変更し
、変更後の値を通知する。これにより、画像供給装置２では、印刷対象の繰り返し供給の
途中で改ページが発生した場合には、記憶する繰り返し供給回数が残りの繰り返し供給回
数に変更される。この場合には、ジョブＩＤとファイルパスでジョブ再開位置が検出され
るようにするか、画像出力装置１へ送信するジョブ指定ファイル内の該当する繰り返し供
給回数を同様に変更する。
【０２６４】
次に、通信路３の切断および画像出力装置１の電源の異常断が発生した場合のリカバリ
処理の一例について説明する。図２６は、本発明の実施の形態３に係る画像出力システム
のリカバリ処理の他の一例について説明するフローチャートである。なお、この場合の正
常動作時の処理は、上述の場合（図２０）と同様である。
【０２６５】
まず、通信路３の切断または画像出力装置１の電源の異常断が発生すると（ステップＳ
１４１）、画像出力装置１と画像供給装置２との間の通信コネクションが切れるため、画
像供給装置２は、その通信コネクション（例えばＵＳＢのコネクション）の切断を検知す
る（ステップＳ１５１）。
【０２６６】
その後、通信路３や電源が復旧すると、画像出力装置１は、リセットまたは再起動する
（ステップＳ１２３）。そして、通信路３を介して通信コネクションが確立されると、画
像供給装置２は、画像出力装置１との接続が復旧したことを検知する（ステップＳ１５２
）。
【０２６７】
画像供給装置２は、接続が復旧すると、上述したように、印刷ジョブ開始コマンドとと
もに再開情報を画像出力装置１に送信し、画像出力装置１は、それに応じて印刷ジョブを
再開する。
【０２６８】
以上のリカバリ処理の例の場合では、画像出力装置１が、ページごとに、再開情報を画
像供給装置２に送信しているが、その代わりに、画像出力装置１が、紙ジャムなどの障害
を検出した場合に、自動的に、再開情報を画像供給装置２に送信するようにしてもよい。
次にその場合について説明する。
【０２６９】
図２７は、本発明の実施の形態３に係る画像出力システムのリカバリ処理のさらに他の
一例について説明するフローチャートである。なお、この場合には、上述の場合（図２０
）のような正常動作時の処理は特に必要なく、障害発生時に、再開情報が画像出力装置１
から画像供給装置２へ伝送される。
【０２７０】
このリカバリ処理の場合、図２７に示すように、障害が発生すると、画像出力装置１は
、障害発生を通知し（ステップＳ１２２）、再開情報を画像供給装置２に送信する（ステ
ップＳ１６１）。
【０２７１】
画像供給装置２は、その障害発生の通知を受信し（ステップＳ１３１）、再開情報を受
信すると（ステップＳ１７１）、それを保持して（ステップＳ１７２）、画像出力装置１
が復旧するまで待機する（ステップＳ１７３）。
【０２７２】
画像出力装置１がリセットや再起動により復旧すると（ステップＳ１２３）、画像供給
装置２は、画像出力装置１の復旧を検知し、印刷ジョブ開始コマンドとともに再開情報を
画像出力装置１に送信する（ステップＳ１７４）。画像出力装置１は、その印刷ジョブ開
始コマンドおよび再開情報に基づいて、上述のようにして印刷ジョブを再開する。
【０２７３】
なお、この実施の形態３に係る画像出力システムは、他の実施の形態のいずれとも組み
合わせ可能である。
【０２７４】
また、この実施の形態３では、印刷再開位置を示す情報として、ジョブＩＤ、パスおよ
び繰り返し供給回数の３つを使用しているが、正確に印刷再開位置を特定できれば、これ
らのうちの１つだけまたは２つだけでもよい。また、他のジョブ状態情報を再開情報に使
用してもよい。
【０２７５】
さらに、この実施の形態３では、改ページ後のページのページレイアウトの最初の画像
データに関するジョブ状態情報を再開情報に使用しているが、改ページ前のページのペー
ジレイアウトの最後の画像データに関するジョブ状態情報を再開情報に使用するようにし
てもよい。その場合には、一連の印刷ジョブにおいて再開情報に合致する位置の次から印
刷ジョブが再開される。
【０２７６】
以上のように、上記実施の形態３によれば、画像出力装置１が、画像出力としての印刷
処理においてページレイアウト内の所定位置（ここでは、先頭）に割り当てられた印刷対
象を示す再開情報を画像供給装置２に送信し、障害により印刷処理が中止された後に、印
刷ジョブ開始コマンドとともに、再開時の最初の印刷対象を指定する制御情報を画像供給
装置２から受信し、その印刷対象から印刷処理を再開する。一方、画像供給装置２は、そ
の再開情報を受信して記憶しておき、印刷処理を再開する場合に、印刷ジョブ開始コマン
ドとともに、最新の再開情報に基づいて再開時の最初の印刷対象を指定する制御情報を画
像出力装置１へ送信する。これにより、画像出力装置１がリセットされジョブの情報がな
くなっても、復旧後に正確に印刷処理を再開することができる。
【０２７７】
さらに、上記実施の形態３によれば、一例として、画像出力装置１が、障害を検出した
場合にのみ、再開情報を画像供給装置２に送信する。これにより、復旧のための再開情報
を頻繁に送受する必要がないため、正常動作時の処理を増加させることなく、復旧後に正
確に印刷処理を再開することができる。
【０２７８】
さらに、上記実施の形態３によれば、一例として、画像出力装置１が、ページごとに、
再開情報を画像供給装置２に送信する。これにより、障害発生時に再開情報を送信できな
い場合でも、復旧後に正確に印刷処理を再開することができる。
【０２７９】
さらに、上記実施の形態３によれば、再開情報に、ページレイアウト内の所定位置に割
り当てられた印刷対象についての印刷ジョブのジョブＩＤ、画像供給装置２内のその印刷
対象の格納場所を示す情報、およびその印刷対象の繰り返し供給回数のうちの少なくとも
１つを含む。これにより、復旧後に印刷再開位置を正確に特定することができる。
【０２８０】
さらに、上記実施の形態３によれば、画像供給装置２が、再開情報に、印刷対象の繰り
返し供給回数を少なくとも使用し、印刷対象の繰り返し供給の途中で改ページが発生した
場合には、繰り返し供給回数を残りの繰り返し供給回数に変更する。これにより、繰り返
し供給回数を複数に設定している場合でも、復旧後に正確に印刷処理を再開することがで
きる。
【０２８１】
さらに、上記実施の形態３によれば、画像出力装置１が、障害を検知すると、その旨を
画像供給装置２に通知し、その後、印刷処理を中止する。一方、画像供給装置２が、リセ
ット指令を受け付けると、印刷ジョブコマンドとともに再開情報を画像出力装置１に送信
する。これにより、確実に復旧した後にリセット指令に呼応して印刷が再開され、復旧後
に正確に印刷処理を再開することができる。
【０２８２】
実施の形態４．
本発明の実施の形態４に係る画像出力システムは、ＤＰＳプロトコルにおいて、規定後
に拡張機能を追加するための拡張タグを、制御情報の生成および送受の際に使用するよう
にしたものである。なお、実施の形態４に係る画像出力システのその他の構成および動作
は、他の実施の形態のいずれかと同様であるので、その説明を省略する。
【０２８３】
その際、画像供給装置２および画像出力装置１は、ＤＰＳプロトコルにおけるある機能
を拡張するために、ＸＭＬ構文に従って、その機能を表現する既存のタグと同じネストレ
ベルに拡張タグを挿入して制御情報を生成する。
【０２８４】
あるいは、画像供給装置２および画像出力装置１は、ＤＰＳプロトコルにおけるある機
能を拡張するために、ＸＭＬ構文に従って、その機能を表現する既存のタグより下位のネ
ストレベルに拡張タグを挿入して制御情報を生成する。
【０２８５】
なお、画像供給装置２および画像出力装置１は、ＤＰＳプロトコルにおけるある機能を
拡張するために、ＸＭＬ構文に従って、制御情報を構成するスクリプトにおいて、その機
能を表現する既存のタグより先に拡張タグを配置して制御情報（ＸＭＬスクリプト）を生
成する。このようにすると、スクリプトを解釈する際に、既存のタグの機能を無効にし易
くすることができる。
【０２８６】
実施の形態４では、規定後に拡張機能を追加するための拡張タグとして、ベンダ固有の
画像最適化処理を指定するための拡張タグが使用される。
【０２８７】
以上のように、上記実施の形態４によれば、拡張タグとして、ベンダ固有の画像最適化
処理を指定するためのタグを使用することができるため、ベンダごとに様々な特徴を有す
る画像最適化処理についても画像出力時に指定することができるようになる。
【０２８８】
実施の形態５．
本発明の実施の形態５に係る画像出力システムは、実施の形態４と同様に、ＤＰＳプロ
トコルにおいて、規定後に拡張機能を追加するための拡張タグを、制御情報の生成および
送受の際に使用するようにしたものである。なお、実施の形態５に係る画像出力システム
のその他の構成および動作は、上記実施の形態のいずれかと同様であるので、その説明を
省略する。
【０２８９】
実施の形態５では、規定後に拡張機能を追加するための拡張タグとして、フレーム画像
と画像データの画像とを組み合わせて印刷するフレーム挿入印刷を指定する拡張タグが使
用される。
【０２９０】
以上のように、上記実施の形態５によれば、拡張タグとして、フレーム画像と画像デー
タの画像とを組み合わせて印刷するフレーム挿入印刷を指定するタグを使用できるため、
独特なフレーム挿入印刷を指定することができるようになる。
【０２９１】
実施の形態６．
本発明の実施の形態６に係る画像出力システムは、実施の形態４，５と同様に、ＤＰＳ
プロトコルにおいて、規定後に拡張機能を追加するための拡張タグを設け、拡張機能を含
む制御情報の生成および送受の際に使用するようにしたものである。なお、実施の形態６
に係る画像出力システムのその他の構成および動作は、上記実施の形態のいずれかと同様
であるので、その説明を省略する。
【０２９２】
実施の形態６では、画像出力装置１が、画像出力に係る制御情報で指定された印刷用紙
のサイズと用紙タイプとを調べ、指定されたサイズで指定された用紙タイプの用紙がない
場合に、その旨を示す制御情報を拡張タグを使用して生成し、その制御情報を画像供給装
置２に送信する。
【０２９３】
以上のように、上記実施の形態６によれば、画像出力装置１が、制御情報で指定された
印刷用紙のサイズと用紙タイプとを調べ、指定されたサイズで指定された用紙タイプの用
紙が存在しない場合に、その旨を示す制御情報を拡張タグを使用して生成し、その制御情
報を画像供給装置２に送信する。これにより、指定された用紙タイプ（マット、写真印刷
用など）でかつ指定された用紙サイズの印刷用紙が、ベンダ、サードパーティなどにより
用意されていない場合に、誤って印刷を行わないようにすることができる。
【０２９４】
実施の形態７．
本発明の実施の形態７に係る画像出力システムは、他の各実施の形態に係る画像出力シ
ステムにおいて画像出力装置１が画像出力の処理フローを制御する代わりに、画像供給装
置２が画像出力の処理フローを制御するようにしたものである。すなわち、画像供給装置
２が、操作部２５に対する操作または画像出力装置１の状態の通知を受けて画像出力処理
の進行を管理し、画像出力処理に必要な情報や画像データを画像供給装置２へ適宜供給す
る。
【０２９５】
このため、実施の形態７では、中央制御部２３が、画像出力の処理フローを制御する画
像出力制御手段として機能し、画像供給装置２の通信制御部２２は、ＤＰＳプロトコルに
従って、画像出力装置１の状態を取得するコマンドを送信し、画像出力装置１の通信制御
部１２が、そのコマンドの応答として画像出力装置１の状態を示すＸＭＬスクリプトを送
信する。このようなコマンドを通信制御部２２から必要に応じて随時発行して、画像供給
装置２の中央制御部２３が、通信制御部２２を介して、画像出力装置１の状態を監視する
。
【０２９６】
また、実施の形態７では、中央制御部２３は、ＤＰＯＦのＡＵＴＰＲＩＮＴ．ＭＲＫな
どといったジョブ指定ファイルを解釈し、そのジョブ指定ファイルの内容に応じて、画像
出力ジョブを実行し、レイアウト情報、画像出力対象のデータなどを画像出力装置１に送
信する。そして、画像出力装置１は、そのレイアウト情報、画像出力対象のデータなどを
受信すると、それらに基づいて画像出力処理を行う。
【０２９７】
なお、実施の形態７に係る画像出力システムの基本的な構成については、上記実施の形
態の場合と同様であり、画像出力時の処理フローも同様である。すなわち、実施の形態７
に係る画像出力システムにおいては、画像供給装置２が処理フローの制御主体とされる。
言い換えれば、上述の実施の形態１〜６の画像出力システムは、画像データを受け取る画
像出力装置１が処理フローの制御主体となるプル型のシステムであり、この実施の形態７
の画像出力システムは、画像データを供給する画像供給装置２が処理フローの制御主体と
なるプッシュ型のシステムである。
【０２９８】
また、実施の形態７に係る画像出力システムにおいて、画像出力装置１の操作部１５に
対する操作に応じて、その操作の情報を画像供給装置２に送信し、画像出力処理を開始す
るようにしてもよい。その場合には、画像出力装置１の通信制御部１２は、操作部１５に
対して所定の操作があると、画像出力ジョブ開始コマンドを制御情報として画像供給装置
２に送信する。画像供給装置２の中央制御部２３は、通信制御部２２および制御回路２１
により画像出力ジョブ開始コマンドが受信されると、その画像出力ジョブ開始コマンドに
従って画像出力の処理を開始し、各種制御コマンドを画像出力装置１に送信する。
【０２９９】
以上のように、上記実施の形態７によれば、画像供給装置２の中央制御部２３が画像出
力の処理フローを制御する。これにより、画像出力装置１の情報処理性能が低くても本シ
ステムを実現することができる。
【０３００】
さらに、上記実施の形態７によれば、画像出力装置１の操作部に対する操作に応じて、
その操作の情報を画像供給装置２に送信し、画像出力処理を開始する場合には、ユーザが
画像出力装置１の操作部１５を操作することで画像出力を行わせることができるため、画
像出力装置１がユーザフレンドリな操作部１５を有している場合に、その操作部１５によ
り操作性が向上する。
【０３０１】
実施の形態８．
本発明の実施の形態８に係る画像出力システムは、画像出力装置１から画像供給装置２
へ電力を供給するようにしたものである。
【０３０２】
その際、通信路３に内蔵されている電力供給線が使用され、画像供給装置２のバッテリ
２７の代わりに、通信路３に接続された通信回路２２から電力が内部の各回路に供給され
る。
【０３０３】
なお、画像出力装置１は、画像供給装置２を接続された際に、画像供給装置２への電力
供給が可能か否かを判定し、電力供給が可能な場合にのみ電力供給するようにしてもよい
。
【０３０４】
ここで、通信路３にＵＳＢを使用した場合に、ＵＳＢケーブルにより画像出力装置１と
画像供給装置２と接続した際の画像供給装置２への電力供給が可能か否かの判定について
説明する。図２８は、実施の形態８に係る画像出力システムにおいて画像出力装置に接続
する際の画像供給装置の電源モードに設定処理を説明するフローチャートである。
【０３０５】
まず、画像供給装置２の通信制御部２２は、通信回路２１を制御して、ＵＳＢに規定さ
れているコンフィグレーションデスクリプタにおける最大出力パラメータを、バスパワー
モード用の設定値（例えば５００ミリアンペア）に設定し（ステップＳ２０１）、通信回
路２１は、その設定で接続処理を行う（ステップＳ２０２）。画像出力装置１の通信回路
１１は、そのバスパワーモード用の設定値の電力を供給可能である場合には、接続を許可
し、そうでない場合には接続を拒否する（ステップＳ２０３）。
【０３０６】
そして、画像供給装置２の通信回路２１は、バスパワーモード用設定値での電力供給が
許可された場合には、バスパワーモードでそのまま接続し、通信路３を介して画像出力装
置１から電力供給を受ける（ステップＳ２０４）。
【０３０７】
一方、画像供給装置２の通信制御部２２は、バスパワーモード用設定値での電力供給が
拒否された場合には、コンフィグレーションデスクリプタにおける最大出力パラメータを
、セルフパワーモード用の設定値（例えば数ミリアンペア）に設定し（ステップＳ２０５
）、通信回路２１は、その設定で、再度、接続処理を行う（ステップＳ２０６）。
【０３０８】
そして、画像供給装置２の通信回路２１は、セルフパワーモードで接続し、画像供給装
置２のバッテリ２７を電力源として動作を継続する（ステップＳ２０７）。
【０３０９】
このように、画像供給装置２は、バスパワーモードでの接続を試みて、許可された場合
には、画像出力装置１からの電力供給を受けて動作し、拒否された場合には、セルフパワ
ーモードで接続し自己のバッテリ２７の電力で動作する。
【０３１０】
なお、画像供給装置２は、バッテリ２７の電力が所定の基準値より少なくなった場合に
、通信路３を介して画像出力装置１から電力を供給されるようにしてもよい。
【０３１１】
また、電力供給線を有する通信路３としては、ＵＳＢの他に、ＩＥＥＥ１３９４などが
あり、それらの通信規格のもので通信を行うようにしてもよい。
【０３１２】
なお、この実施の形態８に係る画像出力システムは、他の実施の形態のいずれとも組み
合わせ可能である。
【０３１３】
以上のように、上記実施の形態８によれば、データ伝送用の通信路３が、電力供給線を
有する通信路であり、画像供給装置２が、その通信路３を介して画像出力装置１から電力
を供給される。これにより、画像供給装置２内のバッテリ２７の電力消費を抑制すること
ができ、画像出力処理を長い時間行うことができる。
【０３１４】
実施の形態９．
本発明の実施の形態９に係る画像出力システムは、例えば実施の形態３で示したように
、一方の電源がオフした後や、通信路３が切断された後に、通信相手との通信が回復した
際の、通信中断前後での通信相手の同一性を判断し、同一の通信相手との通信を再開して
画像出力処理を継続するようにしたものである。
【０３１５】
すなわち、画像出力装置１は、通信路３を介して接続されている画像供給装置２の通信
プロトコル上で固有な識別子を記憶し、電源が切れた場合、電源復旧後に通信路３を介し
て接続されている画像供給装置２の通信プロトコル上で固有な識別子を取得し、その識別
子に基づいて画像供給装置２の同一性を判断する。これにより、障害からの復旧のための
電源をオフにしても、障害発生時の通信相手だった画像供給装置２を正確に特定すること
ができる。
【０３１６】
なお、通信プロトコル上で固有な識別子は、ＭＡＣ（Medium Access Control ）アドレ
スやそれに準じたものであり、不揮発性メモリ、バックアップ電源に接続された揮発性メ
モリ、磁気記録媒体などの、電源が切れていても記憶内容を保持する記録媒体に記憶され
る。
【０３１７】
また、画像供給装置２は、通信路３を介して接続されている画像出力装置１の通信プロ
トコル上で固有な識別子を記憶し、電源が切れた場合、電源復旧後に通信路３を介して接
続されている画像出力装置１の通信プロトコル上で固有な識別子を取得し、その識別子に
基づいて画像出力装置１の同一性を判断する。これにより、障害からの復旧のための電源
をオフにしても、障害発生時の通信相手だった画像出力装置１を正確に特定することがで
きる。
【０３１８】
また、画像出力装置１は、通信路３を介して接続されている画像供給装置２の通信プロ
トコル上で固有な識別子を記憶し、例えば通信路３の接続コネクタが画像出力装置１また
は画像供給装置２の接続コネクタから外されたりして通信路３が切断された場合、通信路
３の接続が復旧した後に、通信路３を介して接続されている画像供給装置２の通信プロト
コル上で固有な識別子を取得し、その識別子に基づいて上記画像供給装置の同一性を判断
する。これにより、障害からの復旧のための通信路を一時的に切断しても、障害発生時の
通信相手だった画像供給装置２を正確に特定することができる。
【０３１９】
また、画像供給装置２は、通信路３を介して接続されている画像出力装置１の通信プロ
トコル上で固有な識別子を記憶し、例えば通信路３の接続コネクタが画像出力装置１また
は画像供給装置２の接続コネクタから外されたりして通信路３が切断された場合、通信路
３の接続が復旧した後に、通信路３を介して接続されている画像出力装置１の通信プロト
コル上で固有な識別子を取得し、その識別子に基づいて画像出力装置１の同一性を判断す
る。これにより、障害からの復旧のための通信路を一時的に切断しても、障害発生時の通
信相手だった画像出力装置１を正確に特定することができる。
【０３２０】
なお、この実施の形態９に係る画像出力システムは、他の実施の形態のいずれとも組み
合わせ可能である。
【０３２１】
例えば、この実施の形態９を上述の実施の形態３に組み合わせた場合、障害および復旧
の前後での通信相手の同一性が認められるときにのみ、実施の形態３で述べたようにして
リカバリ処理を行うようにすることができる。また、同一性が認められないときには、画
像供給装置２は、画像出力ジョブの再開のための処理を行わずに、全く新しい画像出力ジ
ョブの開始コマンドを発行するようにしてもよい。
【０３２２】
実施の形態１０．
本発明の実施の形態１０に係る画像出力システムは、複数の画像出力装置１−１〜１−
ｎを有し、ある画像出力装置１−ｊにおいて障害が発生した場合に、代替の画像出力装置
１−ｋを探し、代替の画像出力装置１−ｋにより画像出力処理を継続するようにしたもの
である。
【０３２３】
図２９は、本発明の実施の形態１０に係る画像出力システムの構成を示すブロック図で
ある。図２９において、画像出力装置１−ｉ（ｉ＝１，・・・，ｎ）は、上述の画像出力
装置１と同様の装置であって、通信路３−ｉに対応した通信回路１１を有する。また、画
像供給装置２−１は、上述の画像供給装置２と同様の装置であり、通信回路２１として、
複数の画像出力装置１−１〜１−ｎに有線通信路３−１または無線通信路３−２〜３−ｎ
を介して接続可能な１または複数の通信回路を備え、いずれかの通信回路により、印刷再
開時の最初の印刷対象を指定する情報を、障害の発生した画像出力装置１−ｊとは別の画
像出力装置１−ｋ（ｋ≠ｊ）へ送信する。なお、その際に別の画像出力装置１−ｋ（ｋ≠
ｊ）へ送信する情報としては、実施の形態３で述べたものを送信し、実施の形態３で述べ
たように印刷を再開するようにしてもよい。これにより、復旧が困難な場合でも別の画像
出力装置１−ｋで正確に印刷を再開することができる。また、復旧を待たずに直ちに別の
画像出力装置１−ｋで正確に印刷を再開することができる。なお、これらは、プル型のシ
ステムであっても同様に得られる効果である。
【０３２４】
例えば、画像供給装置２−１は、画像出力装置１−１による印刷処理中の障害が発生し
た場合には、残りの画像出力装置１−２〜１−ｎのうちのいずれかを選択し、いずれかの
通信回路により、印刷再開時の最初の印刷対象を指定する情報を送信する。その情報を受
信した画像出力装置１−ｋは、その情報に基づいて、ジョブ内の再開位置を特定し、その
位置から印刷処理を開始する。
【０３２５】
なお、画像供給装置２−１は、複数の画像出力装置１−２〜１−ｎのうち、自己の使用
する画像出力制御プロトコル（例えば上述のＤＰＳプロトコル、ＰＴＰなど）を解釈可能
な画像出力装置１−ｒを選択し、その画像出力装置１−ｒへ再開時の最初の印刷対象を指
定する情報を送信するようにしてもよい。
【０３２６】
また、画像供給装置２−１は、複数の画像出力装置１−２〜１−ｎのうち、中断された
印刷ジョブで指定された印刷条件で印刷可能な画像出力装置１−ｒを選択し、その画像出
力装置１−ｒへ再開時の最初の印刷対象を指定する情報を送信するようにしてもよい。こ
れにより、別の画像出力装置を使用しても、元の画像出力装置と同様な印刷状態で印刷を
再開することができる。そのような印刷条件としては、用紙サイズ、用紙タイプ、ベンダ
固有の色補正処理、フレーム画像重畳印刷（画像データによる画像に、フレーム画像を重
畳させて印刷するもの）などがある。
【０３２７】
なお、この実施の形態１０に係る画像出力システムは、他の実施の形態のいずれとも組
み合わせ可能である。
【０３２８】
実施の形態１１．
本発明の実施の形態１１に係る画像出力システムは、画像出力装置１の操作部１５に対
する所定の操作に応じて、画像供給装置２としてのデジタルカメラにより撮影を行うよう
にしたものである。
【０３２９】
すなわち、画像出力装置１は、操作部１５に対する所定の操作があると、画像供給装置
２に対して撮影指令を送信し、画像供給装置２は、画像出力装置１から撮影指令を受信す
ると、撮影処理を行う。なお、この撮影指令をＸＭＬスクリプトの、所定のＤＰＳプロト
コルにおけるコマンドとして送信するようにしてもよい。これにより、画像供給装置２を
操作することなく撮影を行うことができる。
【０３３０】
また、画像供給装置２は、画像出力装置１からの撮影指令に対応して、撮影処理を行っ
た後に、撮影した画像の画像データを画像出力装置１に送信し、画像出力装置１は、その
画像データを受信し、その画像データに基づき画像を出力するようにしてもよい。その場
合、この画像データの伝送を、ＤＰＳプロトコルにおける所定のコマンドを使用して行う
ようにしてもよい。これにより、画像出力装置１を操作するだけで、その時に撮影された
画像が出力され、その画像を視認することができる。
【０３３１】
また、画像供給装置２は、撮影した画像の画像データを、送信完了後または画像出力装
置１での画像出力後に、消去するようにしてもよい。これにより、画像供給装置２の記憶
容量が少なくても繰り返し撮影を行うことができる。
【０３３２】
また、画像供給装置２は、画像データを記憶する記憶手段（例えば記録媒体２４）を有
し、撮影した画像の画像データを記憶していき、その記憶手段の残り容量がなくなるか、
あるいは所定の値以下となった場合に、古い画像データを消去するようにしてもよい。こ
れにより、画像供給装置２の記憶容量が少なくても繰り返し撮影を行うことができる。
【０３３３】
また、画像出力装置１は、所定の周期で画像供給装置２に対して撮影指令を繰り返し送
信し、定期的に画像出力を行うようにしてもよい。これにより、所定の場所や物の画像が
定期的に出力されるため、それらの場所や物を監視することができる。画像供給装置２に
デジタルカメラを使用し、画像出力装置１にプリンタを使用した場合には、監視システム
を安価に構築することができる。
【０３３４】
なお、この実施の形態１１に係る画像出力システムは、他の実施の形態のいずれとも組
み合わせ可能である。
【０３３５】
実施の形態１２．
図３０は、本発明の実施の形態１２に係る画像出力装置の構成を示すブロック図である
。図３０において、画像出力装置２０１は、画像データに基づき画像を出力する装置であ
る。画像出力装置２０１の形態としては、画像データに基づき画像を紙などに印刷するプ
リンタなどがある。また、画像供給装置２０２は、画像データを格納し、必要に応じてそ
の画像データを送信可能な装置である。画像供給装置２０２の形態としては、撮影した画
像を画像データとして所定の記録媒体に記憶するデジタルカメラなどがある。また、通信
路２０３は、画像出力装置１と画像供給装置２とを接続する伝送媒体である。この通信路
３は、有線の通信路に限定されず、無線の通信路を使用してもよい。ここでは、通信路３
には、ＵＳＢのケーブルが使用される。
【０３３６】
また、パーソナルコンピュータ２０４は、所定のデバイスドライバに有し、画像データ
に基づく印刷用制御データを画像出力装置２０１に供給するホスト装置である。通信路２
０５は、通信路２０３と同様の通信規格の通信路である。
【０３３７】
図３０に示す画像出力装置２０１において、コネクタ２１８は、コネクタ２１８は、画
像データを格納する画像供給装置２を電気的に接続可能な第１の接続手段であって、ＵＳ
Ｂのホスト側のコネクタである。また、切替スイッチ２１９は、ユーザによる手動操作あ
るいはコネクタ２１８，２２１へのケーブルの接続状況に応じて、コネクタ２１８を通信
回路２１１およびハブ２２２のいずれかに接続する切替手段として機能する装置である。
【０３３８】
また、コネクタ２２１は、他のホスト装置（ここではパーソナルコンピュータ２０４）
を電気的に接続可能な第２の接続手段であって、ＵＳＢのデバイス側のコネクタである。
ハブ２２２は、コネクタ２２１に電気的に接続され、ＵＳＢのハブ機能を有する中継手段
として動作する装置である。通信回路２２３は、パーソナルコンピュータ２０４との間で
通信するＵＳＢのデバイス側通信回路である。メモリカードインタフェース２２４は、メ
モリカードを挿入され、メモリカードに対してデータの読み書きを行うＵＳＢデバイスで
ある。
【０３３９】
その他、通信回路２１１、通信制御部２１２、出力制御部２１３、出力機構２１４、操
作部２１５、表示装置２１６および電源回路２１７については、実施の形態１における通
信回路１１、通信制御部１２、出力制御部１３、出力機構１４、操作部１５、表示装置１
６および電源回路１７と同様であるので、その説明を省略する。
【０３４０】
なお、通信回路２１１は、ＵＳＢにおける上流側デバイス（ＵＳＢホスト）の通信機能
を有する上流側デバイス側通信手段として機能する。
【０３４１】
次に、上記装置の動作について説明する。
【０３４２】
まず、デジタルカメラなどの画像供給装置２０２に格納した画像データに基づいて画像
を出力する場合には、通信路２０３となるＵＳＢケーブルにより、画像出力装置２０１と
画像供給装置２０２とが接続され、また、切替スイッチ２１９によりコネクタ２１８が通
信回路２１１に接続される。この場合、画像出力装置１の通信回路２１１がＵＳＢホスト
コントローラとして機能し、画像供給装置２０２がＵＳＢデバイスとなる。
【０３４３】
この状態にて、画像供給装置２０２から画像出力装置２０１へ画像データが供給され、
その画像データに基づく画像が出力される。この際の画像データの伝送は、例えば上述し
た方法で行われる。
【０３４４】
一方、パーソナルコンピュータ２０４が画像供給装置２０２にアクセスする場合には、
通信路２０３となるＵＳＢケーブルにより、画像出力装置２０１と画像供給装置２０２と
が接続され、かつ、通信路２０５となるＵＳＢケーブルにより、パーソナルコンピュータ
２０４と画像出力装置２０１とが接続され、また、切替スイッチ２１９によりコネクタ２
１８がハブ２２２に接続される。この状態では、パーソナルコンピュータ２０４がＵＳＢ
ホストとして機能し、ハブ２２２を介して画像供給装置２０２、通信回路２２３およびメ
モリカードインタフェース２２４がＵＳＢデバイスとして機能する。これにより、パーソ
ナルコンピュータ２０４が画像供給装置２０２にアクセス可能となる。
【０３４５】
なお、パーソナルコンピュータ２０４からのデータに基づいて印刷処理を行う場合、通
信路２０５となるＵＳＢケーブルにより、パーソナルコンピュータ２０４と画像出力装置
２０１とが接続されていればよい。この状態で、パーソナルコンピュータ２０４がＵＳＢ
ホストとして機能し、通信回路２２３などがＵＳＢデバイスとして機能し、パーソナルコ
ンピュータ２０４から画像出力装置２０１へ印刷用データが供給され、そのデータがハブ
２２２を介して通信回路２２３へ伝送されて、出力制御部２１３および出力機構２１４に
よりその印刷用データに基づく画像が出力される。
【０３４６】
なお、この実施の形態１２では、画像出力装置２０１には、ＵＳＢのデバイス側コネク
タであるコネクタ２２１、およびＵＳＢのホスト側コネクタであるコネクタ２１８が設け
られているが、ＵＳＢ−ＯｎＴｈｅＧｏ技術を利用して、２つのコネクタ２１８，２２１
を１つのコネクタとし、ＵＳＢホストであるパーソナルコンピュータ２０４が接続された
場合には、画像出力装置２０１がＵＳＢデバイスとして動作し、ＵＳＢデバイスである画
像供給装置２０２が接続された場合には、画像出力装置２０１がＵＳＢホストとして動作
するようにしてもよい。
【０３４７】
なお、この実施の形態１２に係る画像出力装置は、他の実施の形態のいずれとも組み合
わせ可能である。
【０３４８】
以上のように、上記実施の形態１２によれば、１台の画像出力装置１を、他のホスト装
置（パーソナルコンピュータ２０４）の周辺機器として、かつ画像供給装置２とのダイレ
クト印刷のための機器として、かつ他のホスト装置（パーソナルコンピュータ２０４）と
画像供給装置２との間の中継機器として機能させることができる。
【０３４９】
実施の形態１３．
本発明の実施の形態１３に係る画像出力システムは、画像供給装置２において、画像出
力装置１による画像出力時の画像のレイアウトを選択することができるようにしたもので
ある。
【０３５０】
すなわち、画像供給装置２は、操作部２５、表示装置２６および中央制御部２３により
、表示装置２６にレイアウト情報を表示させつつ、ユーザの操作に応じて、画像出力の際
のレイアウトを選択し、選択されたレイアウトで画像データを出力させる制御情報を画像
出力装置１に通信路３を介して送信する。例えば、その際のレイアウトを示す制御情報は
、ＤＰＳプロトコルの画像出力ジョブ指令に含められて送信される。そして、画像出力装
置１は、そのレイアウトに係る制御情報に基づいて画像出力時のレイアウトを設定し、画
像出力処理を行う。すなわち、操作部２５、表示装置２６および中央制御部２３は、ユー
ザインタフェース部分を含む、画像出力の際のレイアウトを選択するレイアウト選択手段
として機能する。
【０３５１】
なお、この実施の形態１３に係る画像出力システムは、他の実施の形態のいずれとも組
み合わせ可能である。
【０３５２】
以上のように、上記実施の形態１３によれば、画像出力システムにおいて、デジタルカ
メラなどの画像供給装置２を操作して、その画像供給装置２に格納されている画像データ
の状況に応じて、ユーザがレイアウトを選択することができて便利であるとともに、画像
データを格納している装置のユーザインタフェースを使用するため、レイアウト選択のた
めに画像データなどを他の装置に転送する必要がない。
【０３５３】
実施の形態１４．
本発明の実施の形態１４に係る画像出力システムは、ある画像データについての画像出
力装置１による画像出力結果を画像供給装置２の表示装置２６によりプレビューするよう
にしたものである。すなわち、表示装置２６は、画像データに基づく画像出力のプレビュ
ー画像を表示する表示手段として機能する。
【０３５４】
画像供給装置２は、例えば操作部２５に対する操作に応じて画像出力の対象となる画像
データを選択し、選択した画像データの画像出力状態を示す画像（いわゆるプレビュー画
像）を表示装置２６により表示する。そして、そのプレビュー画像の表示後に、画像供給
装置２は、画像出力の対象となる画像データを通信路３を介して送信し、画像出力装置１
に出力させる。
【０３５５】
なお、この実施の形態１４に係る画像出力システムは、他の実施の形態のいずれとも組
み合わせ可能である。
【０３５６】
以上のように、上記実施の形態１４によれば、この画像供給装置２では、格納されてい
る画像データを使用してプレビューが可能であるため、正確にプレビューを行うことがで
きるとともに、画像データ転送前にプレビューを行うため、画像出力の条件の変更を画像
供給装置２にて簡単に行うことができる。
【０３５７】
なお、上述の各実施の形態は、本発明の好適な例であるが、本発明は、これらに限定さ
れるものではなく、本発明の要旨を逸脱しない範囲において、種々の変形、変更が可能で
ある。
【０３５８】
例えば、上述の各実施の形態では、マークアップ言語の１つであるＸＭＬを使用して制
御情報を記述しているが、ＳＧＭＬ（Standard Generalized Markup Language）などの他
のマークアップ言語を使用して記述するようにしてもよい。
【０３５９】
また、上述の各実施の形態では、ＤＰＳプロトコル以下の階層において、ＰＴＰおよび
ＵＳＢを使用しているが、ＴＣＰ／ＩＰ（Transmission Control Protocol / Internet P
rotocol ）などの他のプロトコルを使用するようにしてもよい。また、その際の伝送媒体
としては、有線ＬＡＮ、ブルーツース、無線ＬＡＮなどを使用してもよい。
【０３６０】
また、上述の各実施の形態において使用されるＤＰＳプロトコルのコマンド名およびタ
グ名は、上述のものに限定されるものではなく、他の名前でもよい。また、ＤＰＳプロト
コルのコマンドに関しては、同様の機能を有する他のコマンドまたはそれらの組み合わせ
としてもよい。
【０３６１】
また、上述の各実施の形態において、画像出力装置１は、プリンタとすることができ、
画像供給装置２は、動画用および／または静止画用のデジタルカメラとすることができる
。あるいは、画像出力装置１は、紙などの媒体に画像を記録する他の記録装置、ディスプ
レイなどの、光の像を呈示する表示装置などとしてもよく、画像供給装置２は、デジタル
カメラを内蔵した電子装置、画像信号を受信する電子装置などとしてもよい。そのような
電子装置としては、移動体電話、ＰＤＡ、音楽プレーヤ、テレビジョン受像機、ビデオ録
画／再生装置、テレビジョン電話機、テレビビジョン会議装置などがある。また、画像供
給装置２としては、可搬性のある装置としてもよいし、あまり可搬性のない装置としても
よい。
【０３６２】
また、上述の各実施の形態において、画像出力に必要な画像データの画像供給装置２か
ら画像出力装置１への転送が完了すると、画像出力装置１との接続を解除してもよい旨を
示す接続解除可能通知を画像出力装置１から画像供給装置２へ送信するようにしてもよい
。
【０３６３】
また、上述の各実施の形態において、画像データ管理転送プロトコルとして、ＰＴＰの
代わりにＵＳＢマスストレージクラスを使用するようにしてもよい。
【０３６４】
また、上述の各実施の形態における画像は、ピクチャ画像のほか、テキストの画像とし
てもよい。また、画像出力対象を、例えば音楽ＣＤ、音楽ＭＤなどの音楽アルバムのタイ
トル表、歌詞カードなどのテキストとしてもよい。その場合、例えば、画像供給装置２ま
たは画像出力装置１が、その音楽アルバムに記録されている情報に基づいてインターネッ
ト上の配信サーバなどからそのテキストのデータを取得する。
【０３６５】
なお、上記実施の形態２では、画像出力装置１が、ジョブ指定ファイルを取得し、その
ジョブ指定ファイルを解析し、画像出力ジョブを実行しているが、その代わりに、画像供
給装置２が、ジョブ指定ファイルを解析し、画像出力ジョブ開始コマンドを画像出力に係
る制御情報として生成し画像出力装置１に送信するようにして、画像出力ジョブを実行さ
せるようにしてもよい。
【０３６６】
また、図２および図１１に示すプロトコルの階層において、下位プロトコル層のバリエ
ーションに対応すべく、ＤＰＳプロトコル層と下位プロトコル層との間に、ラッパー層が
設けられているが、ＤＰＳプロトコル層のうちの最下位層にラッパー層と同等の機能を持
たせ、ＤＰＳプロトコルのうちの印刷処理の制御フローを管理する層をアプリケーション
層として別のプログラム（すなわち、エンティティ）とするようにしてもよい（図３１参
照）。図３１は、実施の形態１に係る画像出力システムにおいて、画像出力装置１と画像
供給装置２との間で使用されるプロトコル階層の別の一例を示す図である。
【産業上の利用可能性】
【０３６７】
本発明は、例えば、ダイレクト印刷システムに適用可能である。
【図面の簡単な説明】
【０３６８】
【図１】図１は、本発明の実施の形態１に係る画像出力システムの構成を示すブロック図である。
【図２】図２は、実施の形態１に係る画像出力システムにおいて、画像出力装置と画像供給装置との間で使用されるプロトコルの一例を示す図である。
【図３】図３は、実施の形態１に係る画像出力システムにおける画像出力装置としてのプリンタの構成例を示すブロック図である。
【図４】図４は、実施の形態１に係る画像出力システムにおける画像出力装置の有する複数の機能の関係を示す図である。
【図５】図５は、実施の形態１に係る画像出力システムにおける画像供給装置としてのデジタルカメラの構成例を示すブロック図である。
【図６】図６は、実施の形態１に係る画像出力システムにおける画像供給装置の有する複数の機能の関係を示す図である。
【図７】図７は、実施の形態１に係る画像出力システムにおける、ＤＰＳプロトコルレベルでの画像出力処理を説明する図である。
【図８】図８は、実施の形態１に係る画像出力システムにおける、画像転送プロトコルレベルでの画像出力処理を説明する図である。
【図９】図９は、実施の形態１において使用される画像出力ジョブ開始コマンドのＸＭＬスクリプトの一例を示す図である。
【図１０】図１０は、実施の形態１において使用されるファイル取得コマンドのＸＭＬスクリプトの一例を示す図である。
【図１１】図１１は、ＤＰＯＦ方式のディレクトリ構造を説明する図である。
【図１２】図１２は、ＤＰＯＦ方式のジョブ指定ファイルＡＵＴＰＲＩＮＴ．ＭＲＫの一例を示す図である。
【図１３】図１３は、実施の形態２に係る画像出力システムにおける、ＤＰＳプロトコルレベルでの画像出力処理を説明する図である。
【図１４】図１４は、実施の形態２に係る画像出力システムにおける、画像転送プロトコルレベルでの画像出力処理を説明する図である。
【図１５】図１５は、実施の形態２において使用されるオブジェクトＩＤ取得コマンドのＸＭＬスクリプトの一例を示す図である。
【図１６】図１６は、実施の形態２において使用されるオブジェクトＩＤ取得コマンドの応答のＸＭＬスクリプトの一例を示す図である。
【図１７】図１７は、実施の形態２において使用されるファイル情報取得コマンドのＸＭＬスクリプトの一例を示す図である。
【図１８】図１８は、実施の形態２において使用されるファイル情報取得コマンドの応答のＸＭＬスクリプトの一例を示す図である。
【図１９】図１９は、実施の形態３に係る画像出力システムにおける画像出力装置についての状態遷移図である。
【図２０】図２０は、実施の形態３に係る画像出力システムの正常時の印刷処理において行われる、リカバリのための処理について説明するフローチャートである。
【図２１】図２１は、実施の形態３に係る画像出力システムのリカバリ処理を説明するフローチャートである。
【図２２】図２２は、実施の形態３において使用されるジョブ状態通知コマンドのＸＭＬスクリプトの一例を示す図である。
【図２３】図２３は、実施の形態３において使用されるデバイス状態通知コマンドのＸＭＬスクリプトの一例を示す図である。
【図２４】図２４は、実施の形態３において、ジョブ再開時の印刷ジョブ開始コマンドのＸＭＬスクリプトの一例を示す図である。
【図２５】図２５は、実施の形態３に係る画像出力システムにおける印刷再開を説明する図である。
【図２６】図２６は、本発明の実施の形態３に係る画像出力システムのリカバリ処理の他の一例について説明するフローチャートである。
【図２７】図２７は、本発明の実施の形態３に係る画像出力システムのリカバリ処理のさらに他の一例について説明するフローチャートである。
【図２８】図２８は、実施の形態８に係る画像出力システムにおいて画像出力装置に接続する際の画像供給装置の電源モードに設定処理を説明するフローチャートである。
【図２９】図２９は、本発明の実施の形態１０に係る画像出力システムの構成を示すブロック図である。
【図３０】図３０は、本発明の実施の形態１２に係る画像出力装置の構成を示すブロック図である。
【図３１】図３１は、実施の形態１に係る画像出力システムにおいて、画像出力装置と画像供給装置との間で使用されるプロトコル階層の別の一例を示す図である。
【符号の説明】
【０３６９】
１，１−１〜１−ｎ，２０１  画像出力装置
２，２−１，２０２  画像供給装置
３，３−１〜３−ｎ，２０３，２０５  通信路
１１  通信回路（第１の通信手段）
１２  通信制御部（第１の通信手段）
１３  出力制御部（画像出力制御手段、出力手段）
１４  出力機構（出力手段）
１５  操作部
２１  通信回路（第２の通信手段、通信手段）
２２  通信制御部（第２の通信手段）
２３  中央制御部（画像出力制御手段）
２４  記録媒体
２５  操作部
２６  表示装置
２７  バッテリ
６２，９２  ＸＭＬスクリプト生成機能（スクリプト生成手段）
６３，９３  ＸＭＬパーサ
【図１】
2004303192.tif 000003
【図２】
2004303192.tif 000004
【図３】
2004303192.tif 000005
【図４】
2004303192.tif 000006
【図５】
2004303192.tif 000007
【図６】
2004303192.tif 000008
【図７】
2004303192.tif 000009
【図８】
2004303192.tif 000010
【図９】
2004303192.tif 000011
【図１０】
2004303192.tif 000012
【図１１】
2004303192.tif 000013
【図１２】
2004303192.tif 000014
【図１３】
2004303192.tif 000015
【図１４】
2004303192.tif 000016
【図１５】
2004303192.tif 000017
【図１６】
2004303192.tif 000018
【図１７】
2004303192.tif 000019
【図１８】
2004303192.tif 000020
【図１９】
2004303192.tif 000021
【図２０】
2004303192.tif 000022
【図２１】
2004303192.tif 000023
【図２２】
2004303192.tif 000024
【図２３】
2004303192.tif 000025
【図２４】
2004303192.tif 000026
【図２５】
2004303192.tif 000027
【図２６】
2004303192.tif 000028
【図２７】
2004303192.tif 000029
【図２８】
2004303192.tif 000030
【図２９】
2004303192.tif 000031
【図３０】
2004303192.tif 000032
【図３１】
2004303192.tif 000033